(57)【要約】      （修正有）【課題】本開示は、複数のユーザアップリンクのための方法と装置とを提供する。【解決手段】方法は、第１のユーザ端末を含む複数のユーザ端末のそれぞれが、共通のアップリンク送信機会と目標送信持続時間とを示す第１のワイヤレスメッセージをアクセスポイントから受信することを備える。方法は、共通の目標送信持続時間に合うように、第１のユーザ端末からの第２のワイヤレスメッセージに充填データを追加して計画された送信持続時間を変更することを備える。方法はまた、目標送信持続時間にわたって、第１のユーザ端末から第２のワイヤレスメッセージを、複数のユーザ端末と同時に送信することを備える。【選択図】図８
2019176494.tif 000002
【特許請求の範囲】
【請求項１】
ワイヤレス通信のための方法であって、
第１のユーザ端末を含む複数のユーザ端末の各々に対するアップリンク送信機会と目標送信持続時間とを示す第１のワイヤレスメッセージを、アクセスポイントから受信することと、
前記目標送信持続時間に合うように、前記第１のユーザ端末からの第２のワイヤレスメッセージの計画された送信持続時間を変更することと、
前記目標送信持続時間にわたって、前記第１のユーザ端末から前記第２のワイヤレスメッセージを送信することと、
を備える方法。
【請求項２】
前記第２のメッセージの前記送信と同時に前記目標送信持続時間にわたって、前記複数のユーザ端末のうちのいくつかの各々からワイヤレスメッセージを送信することをさらに備える、請求項１に記載の方法。
【請求項３】
前記第１のワイヤレスメッセージはさらに開始時間を示し、前記第２のワイヤレスメッセージおよび前記複数のユーザ端末のうちのいくつかの各々からの前記ワイヤレスメッセージは前記開始時間に送信される、請求項２に記載の方法。
【請求項４】
前記送信される第２のワイヤレスメッセージの送信電力レベルおよび前記複数のユーザ端末のうちのいくつかの各々からの前記送信されるワイヤレスメッセージの送信電力レベルは、前記目標送信持続時間の間は一定である、請求項２に記載の方法。
【請求項５】
前記第２のワイヤレスメッセージの前記計画された送信持続時間を変更することは、前記目標送信持続時間に合うように前記第２のワイヤレスメッセージの前記計画された持続時間を増やすのに十分な量の充填データを、前記第２のワイヤレスメッセージに追加することを備える、請求項１に記載の方法。
【請求項６】
前記充填データは、ファイルの終わりパディングデリミタ、サブフレームパッドオクテット、または、集約される媒体アクセス制御プロトコルデータユニットのファイルの終わりサブフレームの少なくとも１つを備える、請求項５に記載の方法。
【請求項７】
前記少なくとも１つのファイルの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、請求項６に記載の方法。
【請求項８】
前記第２のワイヤレスメッセージの前記計画された送信持続時間を変更することは、前記第２のワイヤレスメッセージを送信するために用いられる送信データレートを調整することを備える、請求項１に記載の方法。
【請求項９】
前記第２のワイヤレスメッセージの前記計画された送信持続時間を変更することは、前記第２のワイヤレスメッセージに用いられる集約のレベルを調整することを備える、請求項１に記載の方法。
【請求項１０】
前記集約のレベルは、前記第２のワイヤレスメッセージの集約された媒体アクセス制御プロトコルデータユニットまたは集約された媒体アクセス制御サービスデータユニットにおいて調整される、請求項９に記載の方法。
【請求項１１】
前記アップリンク送信機会は準備段階の間に決定される、請求項１に記載の方法。
【請求項１２】
前記第２のワイヤレスメッセージは物理層コンバージェンスプロトコルデータユニットを備える、請求項１に記載の方法。
【請求項１３】
ワイヤレス通信のためのデバイスであって、
複数のユーザ端末の各々に対するアップリンク送信機会と目標送信持続時間とを示す第１のワイヤレスメッセージを、アクセスポイントから受信するように構成される受信機と、
前記目標送信持続時間に合うように、第２のワイヤレスメッセージの計画された持続時間を変更するように構成されるプロセッサと、
前記目標送信持続時間にわたって、前記第２のワイヤレスメッセージを送信するように構成される送信機と、
を備える、デバイス。
【請求項１４】
前記送信機はさらに、前記目標送信持続時間にわたって、前記複数のユーザ端末のうちのいくつかの各々と同時に、前記第２のワイヤレスメッセージを送信するように構成される、請求項１３に記載のデバイス。
【請求項１５】
前記第１のワイヤレスメッセージはさらに開始時間を示し、前記第２のワイヤレスメッセージおよび前記複数のユーザ端末のうちのいくつかの各々からの前記ワイヤレスメッセージが前記開始時間に送信される、請求項１４に記載のデバイス。
【請求項１６】
前記送信される第２のワイヤレスメッセージの送信電力レベルおよび前記複数のユーザ端末のうちのいくつかの各々からの前記送信されるワイヤレスメッセージの送信電力レベルは、前記目標送信持続時間の間は一定である、請求項１４に記載のデバイス。
【請求項１７】
前記プロセッサはさらに、前記目標送信持続時間に合うように前記第２のワイヤレスメッセージの前記計画された持続時間を増やすのに十分な量の充填データを、前記第２のワイヤレスメッセージに追加するように構成される、請求項１３に記載のデバイス。
【請求項１８】
前記充填データは、ファイルの終わりパディングデリミタ、サブフレームパッドオクテット、または、集約される媒体アクセス制御プロトコルデータユニットのファイルの終わりサブフレームの少なくとも１つを備える、請求項１７に記載のデバイス。
【請求項１９】
前記少なくとも１つのファイルの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、請求項１８に記載のデバイス。
【請求項２０】
前記プロセッサはさらに、前記第２のワイヤレスメッセージを送信するために用いられる送信データレートを調整するように構成される、請求項１３に記載のデバイス。
【請求項２１】
前記プロセッサはさらに、前記第２のワイヤレスメッセージに用いられる集約のレベルを調整するように構成される、請求項１３に記載のデバイス。
【請求項２２】
集約の前記レベルは、前記第２のワイヤレスメッセージの集約された媒体アクセス制御プロトコルデータユニットまたは集約された媒体アクセス制御サービスデータユニットにおいて調整される、請求項２１に記載のデバイス。
【請求項２３】
前記プロセッサはさらに、準備段階の間に前記アップリンク送信機会を決定するように構成される、請求項１３に記載のデバイス。
【請求項２４】
前記第２のワイヤレスメッセージは物理層コンバージェンスプロトコルデータユニットを備える、請求項１３に記載のデバイス。
【請求項２５】
ワイヤレス通信のための方法であって、
第１のユーザ端末を含む複数のユーザ端末の各々に対するアップリンク送信機会と目標送信持続時間とを示す第１のメッセージを、前記第１のユーザ端末に送信することと、  前記第１のユーザ端末から第２のワイヤレスメッセージを受信することと、
を備え、前記第２のワイヤレスメッセージは前記目標送信持続時間の持続時間にわたって受信される、方法。
【請求項２６】
前記第２のメッセージの前記受信と同時に、前記目標送信持続時間にわたって、前記複数のユーザ端末のうちのいくつかの各々からワイヤレスメッセージを受信することをさらに備える、請求項２５に記載の方法。
【請求項２７】
前記受信される第２のワイヤレスメッセージの電力レベルおよび前記複数のユーザ端末のうちのいくつかの各々からの前記受信されるワイヤレスメッセージの電力レベルは、前記目標送信持続時間の間は一定である、請求項２６に記載の方法。
【請求項２８】
ワイヤレス通信のためのデバイスであって、
第１のユーザ端末を含む複数のユーザ端末の各々に対するアップリンク送信機会と目標送信持続時間とを示す第１のワイヤレスメッセージを、前記第１のユーザ端末に送信するように構成される送信機と、
前記第１のユーザ端末から第２のワイヤレスメッセージを受信するように構成される受信機と、
を備え、前記第２のワイヤレスメッセージは前記目標送信持続時間の持続時間にわたって受信される、デバイス。
【請求項２９】
前記受信機はさらに、前記第２のメッセージの前記受信と同時に、前記目標送信持続時間にわたって、前記複数のユーザ端末のうちのいくつかの各々からワイヤレスメッセージを受信するように構成される、請求項２８に記載のデバイス。
【請求項３０】
前記受信される第２のワイヤレスメッセージの電力レベルおよび前記複数のユーザ端末のうちのいくつかの各々からの前記受信されるワイヤレスメッセージの電力レベルは、前記目標送信持続時間の間は一定である、請求項２８に記載のデバイス。
【発明の詳細な説明】
【技術分野】
【０００１】
本開示のいくつかの態様は、一般にワイヤレス通信に関し、より具体的には、ワイヤレスネットワークにおける多（multiple）ユーザアップリンク通信のための方法および装置に関する。
【背景技術】
【０００２】
[0002]多くの電気通信システムでは、いくつかの対話している空間的に離隔されたデバイスの間でメッセージを交換するために、通信ネットワークが使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれ得る。ネットワークはまた、様々なネットワークノードとデバイスとを相互接続するために使用されるスイッチング／ルーティング技法（たとえば、回線交換対パケット交換）、送信のために用いられる物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって動的な接続性を必要とするとき、またはネットワークアーキテクチャが固定されたトポロジーではなくアドホックなトポロジーで形成されている場合にしばしば好適である。ワイヤレスネットワークは、無線、マイクロ波、赤外線、光などの周波数帯域中の電磁波を使用する非誘導伝搬モードにおいて、無形の物理媒体を用いる。ワイヤレスネットワークは、有利なことに、固定式の有線ネットワークと比較して、ユーザモビリティと迅速な現場展開とを容易にする。
【０００４】
[0004]ワイヤレス通信システムに要求される帯域幅の要件の増大という問題に対処するために、高いデータスループットを達成しながら、複数のユーザ端末がチャネルリソースを共有することによって単一のアクセスポイントと通信することを可能にするために、様々な方式が開発されている。通信リソースが限られている場合、アクセスポイントと複数の端末との間を通過するトラフィックの量を減らすことが望ましい。たとえば、複数の端末がアップリンク通信をアクセスポイントに送るとき、すべての送信のアップリンクを完了するために、トラフィックの量を最小限にすることが望ましい。したがって、複数の端末からのアップリンク送信のための改善されたプロトコルが必要である。
【発明の概要】
【０００５】
[0005]添付の特許請求の範囲内のシステム、方法、およびデバイスの様々な実装形態は、各々がいくつかの態様を有し、それらのうちのいずれの単一の態様も、単独では本明細書で説明される望ましい属性を担わない。添付の特許請求の範囲を限定することなく、いくつかの顕著な特徴が本明細書で説明される。
【０００６】
[0006]本明細書で説明される主題の１つまたは複数の実装形態の詳細は、添付の図面および以下の説明において述べられている。他の特徴、態様、および利点は、説明、図面、および特許請求の範囲から明らかになるであろう。以下の図面の相対的な寸法は、縮尺通りに描かれていないこともあることに留意されたい。
【０００７】
[0007]本開示の一態様は、ワイヤレス通信のための方法を提供する。方法は、第１のユーザ端末を含む複数のユーザ端末の各々に対するアップリンク送信機会と目標送信持続時間とを示す第１のワイヤレスメッセージを、アクセスポイントから受信することを備える。方法はまた、目標送信持続時間に合うように、第１のユーザ端末からの第２のワイヤレスメッセージの計画された送信持続時間を変更することを備える。方法はまた、目標送信持続時間にわたって、第１のユーザ端末から第２のワイヤレスメッセージを送信することを備える。
【０００８】
[0008]本開示の別の態様は、ワイヤレス通信のためのデバイスを提供する。デバイスは、複数のユーザ端末の各々に対するアップリンク送信機会と目標送信持続時間とを示す第１のワイヤレスメッセージを、アクセスポイントから受信するように構成される受信機を備える。デバイスはまた、目標送信持続時間に合うように、第２のワイヤレスメッセージの計画された持続時間を変更するように構成されるプロセッサを備える。デバイスはまた、目標送信持続時間にわたって、第２のワイヤレスメッセージを送信するように構成される送信機を備える。
【０００９】
[0009]本開示の別の態様は、ワイヤレス通信のための方法を提供する。方法は、第１のユーザ端末を含む複数のユーザ端末の各々に対するアップリンク送信機会と目標送信持続時間とを示す第１のメッセージを、第１のユーザ端末に送信することを備える。方法はまた、第１のユーザ端末から第２のワイヤレスメッセージを受信することを備え、第２のワイヤレスメッセージは目標送信持続時間の持続時間にわたって受信される。
【００１０】
[0010]本開示の別の態様は、ワイヤレス通信のためのデバイスを提供する。デバイスは、第１のユーザ端末を含む複数のユーザ端末の各々に対するアップリンク送信機会と目標送信持続時間とを示す第１のワイヤレスメッセージを、第１のユーザ端末に送信するように構成される送信機を備える。デバイスはまた、第１のユーザ端末から第２のワイヤレスメッセージを受信するように構成される受信機を備え、第２のワイヤレスメッセージは目標送信持続時間の持続時間にわたって受信される。
【図面の簡単な説明】
【００１１】
【図１】アクセスポイントとユーザ端末とを伴う多元接続多入力多出力システムを示す図。
【図２】多入力多出力システムにおけるアクセスポイント１１０と２つのユーザ端末１２０ｍおよび１２０ｘとのブロック図。
【図３】ワイヤレス通信システム内で用いられ得るワイヤレスデバイスにおいて利用され得る様々なコンポーネントを示す図。
【図４】アップリンク多ユーザ多入力多出力通信の例示的なフレーム交換の時間図。
【図５】アップリンク多ユーザ多入力多出力通信の別の例示的なフレーム交換の時間シーケンス図。
【図６】アップリンク多ユーザ多入力多出力通信の別の例示的なフレーム交換の時間シーケンス図。
【図７】アップリンク多ユーザ多入力多出力通信の別の例示的なフレーム交換の時間シーケンス図。
【図８】アップリンク多ユーザ多入力多出力通信の時間シーケンス図。
【図９】リクエストツートランスミットフレームの図。
【図１０】クリアツートランスミットフレームの図。
【図１１】クリアツートランスミットフレームの別の実施形態の図。
【図１２】クリアツートランスミットフレームの別の実施形態の図。
【図１３】クリアツートランスミットフレームの別の実施形態の図。
【図１４】送信機会の間のアップリンク多ユーザ多入力多出力送信のための目標送信持続時間に合うように、ユーザ端末が送信のためのデータを断片化することを示す時間シーケンス図。
【図１５】送信機会の間のアップリンク多ユーザ多入力多出力送信のための目標送信持続時間に合うように、ユーザ端末が送信データレートを下げることを示す時間シーケンス図。
【図１６】送信機会の間のアップリンク多ユーザ多入力多出力送信のための目標送信持続時間に合うように、ユーザ端末が送信データレートを上げることを示す時間シーケンス図。
【図１７】送信機会の間のアップリンク多ユーザ多入力多出力送信のための目標送信持続時間に合うように、ユーザ端末が集約のレベルを下げることを示す時間シーケンス図。
【図１８】送信機会の間のアップリンク多ユーザ多入力多出力送信のための目標送信持続時間に合うように、ユーザ端末が集約のレベルを上げることを示す時間シーケンス図。
【図１９】送信機会の間のアップリンク多ユーザ多入力多出力送信のための目標送信持続時間に合うように、ユーザ端末が充填データ１９０８を追加することを示す時間シーケンス図。
【図２０】送信機会の間のアップリンク多ユーザ多入力多出力送信のための目標送信持続時間に合うように、ユーザ端末が送信データレートを下げ、集約のレベルを下げ、充填データを追加することを示す時間シーケンス図。
【図２１】送信機会の間のアップリンク多ユーザ多入力多出力送信のための目標送信持続時間に合うように、ユーザ端末が送信データレートを上げ、集約のレベルを上げ、充填データを追加することを示す時間シーケンス図。
【図２２】目標送信持続時間に合う持続時間の送信機会の間にユーザ端末がデータを同時に送信することを示す時間シーケンス図。
【図２３】アップリンク多ユーザ多入力多出力送信の持続時間が目標送信持続時間に合うように、送信のためのデータまたは動作パラメータを変更するための方法のフローチャート。
【発明を実施するための形態】
【００１２】
[0034]新規のシステム、装置、および方法の様々な態様が、以下で添付の図面を参照してより完全に説明される。しかしながら、教示開示は、多くの異なる形態で具現化され得るものであり、本開示全体にわたって提示されるいずれかの具体的な構造または機能に限定されるものと解釈されるべきでない。むしろ、これらの態様は、本開示が徹底的で完全なものとなり、本開示の範囲を当業者に完全に伝えるように与えられる。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含することが意図されることを、当業者は理解されたい。たとえば、本明細書で示される任意の数の態様を使用して、装置が実装されてよく、または、方法が実践されてよい。加えて、本発明の範囲は、本明細書で述べられる本発明の様々な態様に加えて、またはそれら以外に、他の構造、機能、または構造と機能とを使用して実践される、装置または方法を包含することが意図されている。本明細書で開示されるすべての態様が、ある請求項の１つまたは複数の要素によって具現化され得ることを理解されたい。
【００１３】
[0035]特定の態様が本明細書で説明されるが、これらの態様の多数の変形と置換とが、本開示の範囲に含まれる。好ましい態様のいくつかの利益と利点とが言及されるが、本開示の範囲は、特定の利益、使用法、または目的に限定されることを意図されてはいない。むしろ、本開示の態様は、その一部が例として図面および好ましい態様の以下の説明において示される、異なるワイヤレス技術と、システム構成と、ネットワークと、伝送プロトコルとに幅広く適用可能であることが意図されている。詳細な説明と図面とは、限定的ではなく、単に本開示の実例となるものであり、本開示の範囲は、添付の特許請求の範囲とその等化物とによって定義される。
【００１４】
[0036]ワイヤレスネットワーク技術は、様々なタイプのワイヤレスローカルエリアネットワーク（ＷＬＡＮ）を含み得る。ＷＬＡＮは、広く使用されているネットワーキングプロトコルを用いて、隣接デバイスを一緒に相互接続するために使用され得る。本明細書で説明される様々な態様は、ＷｉＦｉ（登録商標）、またはより一般的にはＩＥＥＥ  ８０２．１１群のワイヤレスプロトコルの任意の成員のような、任意の通信規格に適用され得る。
【００１５】
[0037]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサ、検針、スマートグリッドネットワーク、または他のワイヤレス用途に使用され得る。有利なことに、この特定のワイヤレスプロトコルを実装するいくつかのデバイスの態様は、他のワイヤレスプロトコルを実装するデバイスよりも消費電力が少ないことがあり、短い距離にわたってワイヤレス信号を送信するために使用されることがあり、および／または、人のような物体によって遮断される確率のより低い信号を送信することが可能であり得る。
【００１６】
[0038]いくつかの実装形態では、ＷＬＡＮは、ワイヤレスネットワークにアクセスするコンポーネントである様々なデバイスを含む。たとえば、２つのタイプのデバイス、すなわちアクセスポイント（「ＡＰ」）と（局または「ＳＴＡ」とも呼ばれる）クライアントとがあり得る。一般に、ＡＰは、ＷＬＡＮのハブまたは基地局として機能し、ＳＴＡは、ＷＬＡＮのユーザとして機能する。たとえば、ＳＴＡは、ラップトップコンピュータ、携帯情報端末（ＰＤＡ）、携帯電話などであり得る。ある例では、ＳＴＡは、インターネットまたは他のワイドエリアネットワークへの全般的な接続性を取得するために、ＷｉＦｉ（たとえば、８０２．１１ａｈのようなＩＥＥＥ８０２．１１プロトコル）準拠ワイヤレスリンクを介してＡＰに接続する。いくつかの実装形態では、ＳＴＡはＡＰとして使用されることもある。
【００１７】
[0039]本明細書で説明される技法は、直交多重化方式に基づく通信システムを含む、様々なブロードバンドワイヤレス通信システムに使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するのに、十分に異なる方向を利用し得る。ＴＤＭＡシステムは、送信信号を異なるタイムスロットに分割することによって、複数のユーザ端末が同じ周波数チャネルを共有することを可能にでき、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、直交周波数分割多重化（ＯＦＤＭ）を利用し、これは、システム帯域幅全体を複数の直交サブキャリアへ区分する変調技法である。これらのサブキャリアはまた、トーン、ビンなどとも呼ばれ得る。ＯＦＤＭでは、各サブキャリアはデータとは独立に変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分布するサブキャリア上で送信するためにインタリーブドＦＤＭＡ（ＩＦＤＭＡ：interleaved FDMA）を、隣接するサブキャリアのブロック上で送信するためにローカライズドＦＤＭＡ（ＬＦＤＭＡ：localized FDMA）を、または、隣接するサブキャリアの複数のブロック上で送信するためにエンハンストＦＤＭＡ（ＥＦＤＭＡ：enhanced FDMA）を利用することができる。一般に、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装し得る。
【００１８】
[0040]本明細書の教示は、種々の有線装置またはワイヤレス装置（たとえば、ノード）に組み込まれ得る（たとえば、その装置内で実装されるか、またはその装置によって実行され得る）。いくつかの態様では、本明細書の教示に従って実装されるワイヤレスノードはアクセスポイントまたはアクセス端末を備え得る。
【００１９】
[0041]アクセスポイント（「ＡＰ」）は、ＮｏｄｅＢ、無線ネットワークコントローラ（「ＲＮＣ」）、ｅＮｏｄｅＢ、基地局コントローラ（「ＢＳＣ」）、基地局装置（「ＢＴＳ」）、基地局（「ＢＳ」）、送受信機機能（「ＴＦ」）、無線ルータ、無線送受信機、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２０】
[0042]局「ＳＴＡ」は、アクセス端末（「ＡＴ」）、加入者局、加入者ユニット、移動局、遠隔局、遠隔端末、ユーザ端末、ユーザエージェント、ユーザデバイス、ユーザ機器、もしくは他の何らかの用語を備えるか、それらのいずれかとして実装されるか、またはそれらのいずれかとして知られていることがある。いくつかの実装形態では、アクセス端末は、携帯電話、コードレス電話、セッション開始プロトコル（「ＳＩＰ：Session Initiation Protocol」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された他の何らかの適切な処理デバイスを備え得る。したがって、本明細書で教示される１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイスもしくは衛星ラジオ）、ゲームデバイスもしくはゲームシステム、全地球測位システムデバイス、または、ワイヤレス媒体を介して通信するように構成された任意の他の適切なデバイスに組み込まれ得る。
【００２１】
[0043]図１は、アクセスポイントとユーザ端末とを伴う多元接続多入力多出力（ＭＩＭＯ）システム１００を示す図である。簡単のために、図１にはただ１つのアクセスポイント１１０が示される。アクセスポイントは一般に、ユーザ端末と通信する固定局であり、基地局と呼ばれること、または何らかの他の用語を使用して呼ばれることもある。ユーザ端末またはＳＴＡは、固定式でも移動式でもよく、移動局もしくワイヤレスデバイスと呼ばれることもあり、または何らかの他の用語を使用して呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０は、アクセスポイントに結合し、アクセスポイントの調整と制御とを行う。
【００２２】
[0044]以下の開示の部分は、空間分割多元接続（ＳＤＭＡ）を介して通信することが可能なユーザ端末１２０を説明するが、いくつかの態様では、ユーザ端末１２０は、ＳＤＭＡをサポートしないいくつかのユーザ端末も含み得る。したがって、そのような態様では、ＡＰ１１０は、ＳＤＭＡユーザ端末と非ＳＤＭＡユーザ端末の両方と通信するように構成され得る。この手法は、都合のよいことに、より新しいＳＤＭＡユーザ端末が適宜に導入されることを可能にしながら、ＳＤＭＡをサポートしないより古いバージョンのユーザ端末（「レガシー」局）が企業に展開されたままであることを可能にして、それらの有効寿命を延長することができる。
【００２３】
[0045]システム１００は、ダウンリンクおよびアップリンク上でのデータ送信のために複数の送信アンテナと複数の受信アンテナとを用いる。アクセスポイント１１０は、Ｎap個のアンテナを装備し、ダウンリンク送信について多入力（ＭＩ:multiple input）を表し、アップリンク送信について多出力（ＭＯ:multiple output）を表す。Ｋ個の選択されたユーザ端末１２０のセットは、ダウンリンク送信では多出力を集合的に表し、アップリンク送信では多入力を集合的に表す。純粋なＳＤＭＡでは、Ｋ個のユーザ端末のためのデータシンボルストリームが、何らかの手段によって、コード、周波数または時間で多重化されない場合、Ｎap≦Ｋ≦１であることが望まれる。データシンボルストリームが、ＴＤＭＡ技法、ＣＤＭＡを伴う異なるコードチャネル、ＯＦＤＭを伴うサブバンドの独立セットなどを使用して多重化され得る場合、ＫはＮapよりも大きくてよい。各々の選択されたユーザ端末は、ユーザ固有のデータをアクセスポイントに送信し、および／またはアクセスポイントからユーザ固有のデータを受信し得る。一般に、各々の選択されたユーザ端末は、１つまたは複数のアンテナを装備し得る（すなわち、Ｎut≧１）。Κ個の選択されたユーザ端末は同じ数のアンテナを有してよく、または、１つまたは複数のユーザ端末は異なる数のアンテナを有してよい。
【００２４】
[0046]ＳＤＭＡシステム１００は、時分割複信（ＴＤＤ）システムまたは周波数分割複信（ＦＤＤ）システムであってよい。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備し、または（たとえば、追加のコストがサポートされ得る場合）複数のアンテナを装備し得る。送信／受信を異なるタイムスロットに分割し、各タイムスロットが異なるユーザ端末１２０に割り当てられ得ることにより、ユーザ端末１２０が同じ周波数チャネルを共有する場合、システム１００はＴＤＭＡシステムでもあり得る。
【００２５】
[0047]図２は、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ａｐを装備する。ユーザ端末１２０ｍはＮut,m個のアンテナ２５２ma〜２５２muを装備し、ユーザ端末１２０ｘはＮut,x個のアンテナ２５２xa〜２５２xuを装備する。アクセスポイント１１０は、ダウンリンクでは送信エンティティであり、アップリンクでは受信エンティティである。ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択される。ＮupはＮdnに等しくても等しくなくてもよく、ＮupおよびＮdnは静的な値であってよく、またはスケジューリング間隔ごとに変化してよい。アクセスポイント１１０および／またはユーザ端末１２０においてビームステアリングまたは何らかの他の空間処理技法が使用され得る。
【００２６】
[0048]アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートと関連付けられるコーディングおよび変調方式に基づいて、ユーザ端末のためのトラフィックデータを処理し（たとえば、符号化し、インターリーブし、変調し）、データシンボルストリームを与える。ＴＸ空間プロセッサ２９０は、データシンボルストリームに対して空間処理を実行し、Ｎut,m個のアンテナに対するＮut,m個の送信シンボルストリームを与える。各送信機ユニット（ＴＭＴＲ）２５４は、アップリンク信号を生成するために、それぞれの送信シンボルストリームを受信し、処理する（たとえば、アナログに変換し、増幅し、フィルタリングし、周波数アップコンバートする）。Ｎut,m個の送信機ユニット２５４は、Ｎut,m個のアンテナ２５２からの送信のために、たとえばアクセスポイント１１０に送信するために、Ｎut,m個のアップリンク信号を与える。
【００２７】
[0049]アップリンク上での同時送信のために、Ｎup個のユーザ端末がスケジューリングされ得る。これらのユーザ端末の各々は、それのそれぞれのデータシンボルストリームに対して空間処理を実行し、アップリンク上で送信シンボルストリームのそれのそれぞれのセットをアクセスポイント１１０に送信し得る。
【００２８】
[0050]アクセスポイント１１０において、Ｎup個のアンテナ２２４ａ〜２２４apは、アップリンク上で送信するすべてのＮup個のユーザ端末からアップリンク信号を受信する。各アンテナ２２４は、受信された信号をそれぞれの受信機ユニット（ＲＣＶＲ）２２２に与える。各受信機ユニット２２２は、送信機ユニット２５４によって実行された処理を補足する処理を実行し、受信されたシンボルストリームを与える。ＲＸ空間プロセッサ２４０は、Ｎup個の受信機ユニット２２２からのＮup個の受信されたシンボルストリームに対して受信機空間処理を実行し、Ｎup個の復元されたアップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行され得る。各々の復元されたアップリンクデータシンボルストリームは、それぞれのユーザ端末によって送信されたデータシンボルストリームの推定値である。ＲＸデータプロセッサ２４２は、復号されたデータを得るために、そのストリームのために使用されたレートに従って、各々の復元されたアップリンクデータシンボルストリームを処理（たとえば、復調、デインターリーブ、および復号）する。各ユーザ端末に対する復号されたデータは、記憶のためにデータシンク２４４に与えられ、および／またはさらなる処理のためにコントローラ２３０に与えられ得る。
【００２９】
[0051]ダウンリンク上では、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいて、そのユーザ端末のためのトラフィックデータを処理（たとえば、符号化、インターリーブ、および変調）する。ＴＸデータプロセッサ２１０は、Ｎdn個のユーザ端末のためのＮdn個のダウンリンクデータシンボルストリームを与える。ＴＸ空間プロセッサ２２０は、Ｎdn個のダウンリンクデータシンボルストリームに対して（プリコーディングまたはビームフォーミングのような）空間処理を実行し、Ｎup個のアンテナのためのＮup個の送信シンボルストリームを与える。各送信機ユニット２２２は、ダウンリンク信号を生成するために、それぞれの送信シンボルストリームを受信して処理する。Ｎup個の送信機ユニット２２２は、Ｎup個のアンテナ２２４からの送信のための、たとえばユーザ端末１２０に送信するための、Ｎup個のダウンリンク信号を与え得る。
【００３０】
[0052]各ユーザ端末１２０において、Ｎut,m個のアンテナ２５２は、アクセスポイント１１０からＮup個のダウンリンク信号を受信する。各受信機ユニット２５４は、関連するアンテナ２５２からの受信された信号を処理し、受信されたシンボルストリームを与える。ＲＸ空間プロセッサ２６０は、Ｎut,m個の受信機ユニット２５４からのＮut,m個の受信されたシンボルストリームに対して受信機空間処理を実行し、ユーザ端末１２０のための復元されたダウンリンクデータシンボルストリームを与える。受信機空間処理は、ＣＣＭＩ、ＭＭＳＥ、または何らかの他の技法に従って実行され得る。ＲＸデータプロセッサ２７０は、ユーザ端末のための復号されたデータを取得するために、復元されたダウンリンクデータシンボルストリームを処理（たとえば、復調、デインターリーブ、および復号）する。
【００３１】
[0053]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は通常、ユーザ端末に対する空間フィルタ行列を、そのユーザ端末に対するダウンリンクチャネル応答行列Ｈdn,mに基づいて導出する。コントローラ２３０は、アクセスポイントに対する空間フィルタ行列を、実効アップリンクチャネル応答行列Ｈup,effに基づいて導出する。各ユーザ端末のためのコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびユーザ端末１２０における様々な処理ユニットの動作を制御し得る。
【００３２】
[0054]図３は、ワイヤレス通信システム１００内で用いられ得るワイヤレスデバイス３０２において利用され得る様々なコンポーネントを示す。ワイヤレスデバイス３０２は、本明細書で説明される様々な方法を実施するように構成され得るデバイスの例である。ワイヤレスデバイス３０２は、アクセスポイント１１０またはユーザ端末１２０を実装し得る。
【００３３】
[0055]ワイヤレスデバイス３０２は、ワイヤレスデバイス３０２の動作を制御するプロセッサ３０４を含み得る。プロセッサ３０４は、中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に提供する。メモリ３０６の一部は不揮発性ランダムアクセスメモリ（ＮＶＲＡＭ）も含み得る。プロセッサ３０４は、メモリ３０６内に記憶されたプログラム命令に基づいて論理演算および算術演算を実行し得る。メモリ３０６中の命令は、本明細書で説明される方法を実施するように実行可能であり得る。
【００３４】
[0056]プロセッサ３０４は、１つまたは複数のプロセッサにより実装された処理システムを備えてよく、またはその処理システムのコンポーネントであってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、または情報の計算もしくは他の操作を実行することができる任意の他の適切なエンティティの任意の組合せにより実装され得る。
【００３５】
[0057]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれで呼ばれるかにかかわらず、任意のタイプの命令を意味するものとして広範に解釈されるべきである。命令は、（たとえば、ソースコードフォーマット、バイナリコードフォーマット、実行可能コードフォーマット、または任意の他の適切なコードのフォーマットの）コードを含み得る。命令は、１つまたは複数のプロセッサによって実行されると、処理システムに、本明細書で説明される様々な機能を実行させる。
【００３６】
[0058]ワイヤレスデバイス３０２は、ワイヤレスデバイス３０２と遠隔位置との間のデータの送受信を可能にするための、送信機３１０と受信機３１２とを含み得る筐体３０８も含み得る。送信機３１０および受信機３１２は、送受信機３１４に結合され得る。単一または複数の送受信機アンテナ３１６は、筐体３０８に取り付けられ、送受信機３１４に電気的に結合され得る。ワイヤレスデバイス３０２はまた、複数の送信機と、複数の受信機と、複数の送受信機とを含み得る（図示せず）。
【００３７】
[0059]ワイヤレスデバイス３０２は、送受信機３１４によって受信された信号のレベルを検出して定量化するために使用され得る信号検出器３１８も含み得る。信号検出器３１８は、総エネルギー、シンボルごとのサブキャリア当たりのエネルギー、電力スペクトル密度、および他の信号のような信号を検出し得る。ワイヤレスデバイス３０２は、信号の処理に使用されるデジタル信号プロセッサ（ＤＳＰ）３２０も含み得る。
【００３８】
[0060]ワイヤレスデバイス３０２の様々なコンポーネントは、データバスに加えて、電力バスと、制御信号バスと、ステータス信号バスとを含み得る、バスシステム３２２によって一緒に結合され得る。
【００３９】
[0061]本開示のいくつかの態様は、複数のＵＴからＡＰへのアップリンク（ＵＬ）信号の送信をサポートする。いくつかの実施形態では、ＵＬ信号は、多ユーザＭＩＭＯ（ＭＵ−ＭＩＭＯ）システムにおいて送信され得る。代替的に、ＵＬ信号は、多ユーザＦＤＭＡ（ＭＵ−ＦＤＭＡ）システムまたは同様のＦＤＭＡシステムにおいて送信され得る。具体的には、図４〜図８は、ＵＬ−ＦＤＭＡ送信に等しく適用される、アップリンクＭＵ−ＭＩＭＯ（ＵＬ−ＭＵ−ＭＩＭＯ）送信４１０Ａと、４１０Ｂとを示す。これらの実施形態では、ＵＬ−ＭＵ−ＭＩＭＯ送信またはＵＬ−ＦＤＭＡ送信は、複数のＳＴＡからＡＰに同時に送られてよく、ワイヤレス通信における効率性を生み出すことができる。
【００４０】
[0062]ワイヤレスデバイスおよびモバイルデバイスの数の増大は、ワイヤレス通信システムに対して要求される帯域幅の要件にさらなる圧力を加える。通信リソースが限られている場合、ＡＰと複数のＳＴＡとの間を通過するトラフィックの量を減らすことが望ましい。たとえば、複数の端末がアップリンク通信をアクセスポイントに送るとき、すべての送信のアップリンクを完了するために、トラフィックの量を最小限にすることが望ましい。したがって、本明細書で説明される実施形態は、ＡＰへのアップリンク送信のスループットを増大させるための、通信交換の利用と、スケジューリングと、いくつかのフレームとをサポートする。
【００４１】
[0063]図４は、ＵＬ通信のために使用され得るＵＬ−ＭＵ−ＭＩＭＯプロトコル４００の例を示す時間シーケンス図４００である。図１とともに図４において示されるように、ＡＰ１１０は、ある特定のＵＴ１２０がＵＬ−ＭＵ−ＭＩＭＯ送信を開始することを知るように、どのユーザ端末１２０がＵＬ−ＭＵ−ＭＩＭＯ方式において参加し得るかを示すクリアツートランスミット（ＣＴＸ）メッセージ４０２をユーザ端末１２０に送信することができる。いくつかの実施形態では、ＣＴＸメッセージは、物理層コンバージェンスプロトコル（ＰＬＣＰ）プロトコルデータユニット（ＰＰＤＵ）のペイロード部分において送信され得る。ＣＴＸフレーム構造の例は、図１０を参照して下でより完全に説明される。
【００４２】
[0064]ユーザ端末１２０が属するＡＰ１１０からそのユーザ端末がＣＴＸメッセージ４０２を受信すると、そのユーザ端末１２０はＵＬ−ＭＵ−ＭＩＭＯ送信４１０を送信することができる。図４Ａにおいて、ＳＴＡ１２０ＡおよびＳＴＡ１２０Ｂは、物理層コンバージェンスプロトコル（ＰＬＣＰ）プロトコルデータユニット（ＰＰＤＵ）をそれぞれ含む、ＵＬ−ＭＵ−ＭＩＭＯ送信４１０Ａと４１０Ｂとを送信する。ＵＬ−ＭＵ−ＭＩＭＯ送信４１０Ａと４１０Ｂとを受信すると、ＡＰ１１０は、ブロック確認応答（ＢＡ）４７０をユーザ端末１２０Ａおよび１２０Ｂに送信することができる。
【００４３】
[0065]すべてのＡＰ１１０またはユーザ端末１２０がＵＬ−ＭＵ−ＭＩＭＯまたはＵＬ−ＦＤＭＡの動作をサポートするとは限らない。ユーザ端末１２０からの能力指示は、アソシエーション要求またはプローブ要求に含まれる高効率ワイヤレス（ＨＥＷ）能力要素において示されてよく、能力を示すビットと、ユーザ端末１２０がＵＬ−ＭＵ−ＭＩＭＯ送信において使用できる空間ストリームの最大の数と、ユーザ端末１２０がＵＬ−ＦＤＭＡ送信において使用できる周波数と、最小電力および最大電力ならびに電力バックオフの粒度（granularity）と、ユーザ端末１２０が実行できる最小および最大の時間調整とを含み得る。
【００４４】
[0066]ＡＰ１１０からの能力指示は、アソシエーション応答、ビーコン、またはプローブ応答に含まれるＨＥＷ能力要素において示されてよく、能力を示すビットと、単一のユーザ端末１２０がＵＬ−ＭＵ−ＭＩＭＯ送信において使用できる空間ストリームの最大の数と、単一のユーザ端末１２０がＵＬ−ＦＤＭＡ送信において使用できる周波数と、必要とされる電力制御の粒度（granularity）と、ユーザ端末１２０が実行することが可能であるべき必要とされる最小および最大の時間調整とを含み得る。
【００４５】
[0067]一実施形態では、能力のあるユーザ端末１２０は、ＵＬ−ＭＵ−ＭＩＭＯ（またはＵＬ−ＦＤＭＡ）プロトコルの部分となるように、能力のあるＡＰに要求することができる。要求は、管理フレーム、リクエストツーセンド（ＲＴＳ）メッセージ、サービス品質（ＱｏＳ）フレーム、電力節約（ＰＳ）ポール、またはＲＴＸフレームに含まれ得る。一態様では、ＡＰ１１０は、ＵＬ−ＭＵ−ＭＩＭＯ機能の使用をユーザ端末１２０に認めることによって応答することができ、または、ＡＰ１１０は、ユーザ端末の要求を拒否することができる。ＡＰ１１０は、ＵＬ−ＭＵ−ＭＩＭＯの使用を認めることができ、ユーザ端末１２０は、様々な時間においてＣＴＸメッセージ４０２を予期し得る。加えて、ユーザ端末１２０がＵＬ−ＭＵ−ＭＩＭＯ機能を動作させることが可能にされると、ユーザ端末１２０は、ある動作モードに従わなければならないことがある。ユーザ端末１２０およびＡＰ１１０は、複数の動作モードをサポートすることができ、ＡＰ１１０は、ＨＥＷ能力要素、管理フレーム、または動作要素において、どのモードを使用するかをユーザ端末１２０に示すことができる。一態様では、ユーザ端末１２０は、異なる動作要素をＡＰ１１０に送ることによって、動作の間に動作モードとパラメータとを動的に変更することができる。別の態様では、ＡＰ１１０は、更新された動作要素もしくは管理フレームをユーザ端末１２０に送ることによって、または更新された動作要素もしくは更新された管理フレームをビーコンの中で送ることによって、動作の間に動作モードを動的に切り替えることができる。別の態様では、動作モードは、準備段階においてＡＰ１１０によって決定されてよく、ユーザ端末１２０ごとに、またはユーザ端末１２０のグループに対して決定されてよい。別の態様では、動作モードはトラフィック識別子（ＴＩＤ）ごとに指定され得る。
【００４６】
[0068]ＵＬ−ＭＵ−ＭＩＭＯ送信のいくつかの動作モードでは、ユーザ端末１２０は、ＡＰ１１０からＣＴＸメッセージを受信し、直ちに応答をＡＰ１１０に送ることができる。この応答は、クリアツーセンド（ＣＴＳ）メッセージまたは別のタイプのメッセージの形態であり得る。ＣＴＳメッセージを送るための要件は、ＣＴＸメッセージにおいて示されてよく、または、要件は、ＡＰ１１０とユーザ端末１２０との間の通信の準備段階において示されてよい。
【００４７】
[0069]図５は、図１とともに、ＡＰ１１０とユーザ端末１２０Ａおよび１２０Ｂとの間のＵＬ−ＭＵ−ＭＩＭＯ送信の動作モードの例を示す、時間シーケンス図５００である。図５に示されるように、ＵＴ１２０ＡはＣＴＳメッセージ４０８Ａを送信することができ、ＵＴ１２０ＢはＡＰ１１０からＣＴＸメッセージ４０２を受信したことに応答してＣＴＳメッセージ４０８Ｂを送信することができる。ＣＴＳメッセージ４０８ＡおよびＣＴＳメッセージ４０８Ｂの変調およびコーディング方式（ＭＣＳ）は、ＣＴＸメッセージ４０２のＭＣＳに基づき得る。この実施形態では、ＣＴＳメッセージ４０８ＡおよびＣＴＳメッセージ４０８Ｂは、それらが同時にＡＰ１１０へ送信され得るように、同じ量のビットと同じスクランブリングシーケンスとを含む。ＣＴＳメッセージ４０８Ａおよび４０８Ｂの持続時間フィールドは、ＣＴＸ  ＰＰＤＵのための時間を除去することによって、ＣＴＸ中の持続時間フィールドに基づき得る。ユーザ端末１２０ＡはＣＴＸメッセージ４０２に従ってＵＬ−ＭＵ−ＭＩＭＯ送信４１０ＡをＡＰ１１０に送ることができ、ユーザ端末１２０ＢもＣＴＸメッセージ４０２に従ってＵＬ−ＭＵ−ＭＩＭＯ送信４１０ＢをＡＰ１１０に送ることができる。ＡＰ１１０は次いで、確認応答（ＡＣＫ）メッセージ４７５をユーザ端末１２０Ａおよび１２０Ｂに送ることができる。いくつかの態様では、ＡＣＫメッセージ４７５は各ユーザ端末１２０に送られる連続的なＡＣＫメッセージを含んでよく、または、ＡＣＫメッセージ４７５はＢＡを含んでよい。いくつかの態様では、ＡＣＫ４７５はポーリングされ得る。図５の実施形態は、順次的な送信と比較して、複数のユーザ端末１２０からＡＰ１１０へのＣＴＳメッセージ４０８の同時の送信を実現することによって送信効率を改善し、これによって、時間を節約して干渉の可能性を減らすことができる。
【００４８】
[0070]図６は、図１とともに、ＵＬ−ＭＵ−ＭＩＭＯ送信の動作モードの例を示す、時間シーケンス図６００である。この実施形態では、ユーザ端末１２０Ａおよび１２０Ｂは、ＣＴＸメッセージ４０２をＡＰ１１０から受信することができる。ＣＴＸメッセージ４０２は、ＵＬ−ＭＵ−ＭＩＭＯ送信を送信するための、ユーザ端末１２０Ａおよび１２０Ｂに対するＣＴＸメッセージ４０２を搬送するＰＰＤＵの終わりの後の時間（Ｔ）４０６を示し得る。Ｔ４０６は、短フレーム間空間（ＳＩＦＳ）、ポイントフレーム間空間（ＰＩＦＳ）、または別の時間であり得る。Ｔは、ＣＴＸメッセージ４０２においてまたは管理フレームを介してＡＰ１１０によって示されるような時間オフセットを含み得る。ＳＩＦＳ時間およびＰＩＦＳ時間は、規格において固定されていてよく、または、ＣＴＸメッセージ４０２において、もしくは管理フレームにおいてＡＰ１１０によって示されてよい。Ｔ４０６は、ＡＰ１１０とユーザ端末１２０Ａおよび１２０Ｂとの同期を改善することができ、このことは、ＵＬ−ＭＵ−ＭＩＭＯ送信を送る前にＣＴＸメッセージ４０２または他のメッセージを処理するための十分な時間をユーザ端末１２０Ａおよび１２０Ｂに許容し得る。
【００４９】
[0071]いくつかの状況では、ユーザ端末１２０は、ＡＰ１１０にアップロードすべきデータを有し得るが、ユーザ端末１２０は、ユーザ端末１２０がＵＬ−ＭＵ−ＭＩＭＯ送信を開始し得ることを示すＣＴＸメッセージ４０２または別のメッセージを受信していないことがある。１つの動作モードでは、ユーザ端末１２０は、ＵＬ−ＭＵ−ＭＩＭＯの送信機会（ＴＸＯＰ）の外側（たとえば、ＣＴＸメッセージの後）ではデータを送信できない。別の動作モードでは、ユーザ端末１２０は、ＵＬ−ＭＵ−ＭＩＭＯ送信を開始するためにフレームをＡＰ１１０に送信することができ、次いで、たとえば、ＣＴＸメッセージにおいてＵＬ−ＭＵ−ＭＩＭＯ  ＴＸＯＰの間に送信するように命令されている場合、そうすることができる。一実施形態では、ＵＬ−ＭＵ−ＭＩＭＯ送信を開始するためのフレームは、リクエストツートランスミット（ＲＴＸ）、この目的のために特別に設計されたフレーム（ＲＴＸフレーム構造の例は図８および図９を参照して下でより完全に説明される）であり得る。いくつかの動作モードでは、ＲＴＸフレームは、ユーザ端末１２０がＵＬ−ＭＵ−ＭＩＭＯ  ＴＸＯＰを開始するために使用し得る唯一のフレームタイプであり得る。いくつかの実施形態では、ユーザ端末１２０は、ＲＴＸを送ることによって以外には、ＵＬ−ＭＵ−ＭＩＭＯ  ＴＸＯＰの外側で送信できない。
【００５０】
[0072]他の実施形態では、ＵＬ−ＭＵ−ＭＩＭＯ送信を開始するためにユーザ端末１２０によって送られるフレームは、ユーザ端末１２０が送るべきデータを有することをＡＰ１１０に示す任意のフレームであり得る。ＡＰ１１０およびユーザ端末１２０は、そのようなフレームがＵＬ−ＭＵ−ＭＩＭＯ  ＴＸＯＰ要求を示し得ることを、準備の間に決定することができる。たとえば、ＲＴＳ、より多くのデータを示すように設定されたデータフレームもしくはＱｏＳヌル（ＱｏＳ  Ｎｕｌｌ）、またはＰＳポール（ＰＳ  ｐｏｌｌ）が、ユーザ端末１２０が送るべきデータを有しておりＵＬ  ＭＵ  ＭＩＭＯ  ＴＸＯＰを要求していることを示すために使用され得る。たとえば、データフレームまたはＱｏＳヌルフレームは、より多くのデータを示すように設定されたＱｏＳ制御フレームのビット８〜１５を有し得る。一実施形態では、ユーザ端末１２０は、このＴＸＯＰをトリガするためにフレームを送ることによって以外に、ＵＬ−ＭＵ−ＭＩＭＯ  ＴＸＯＰの外側で送信できず、ここでそのフレームはＲＴＳ、ＰＳポール、またはＱＯＳヌルであり得る。別の実施形態では、ユーザ端末１２０は、いつも通りに単一のユーザアップリンクデータを送ることができ、データパケットのＱｏＳ制御フレーム中のビットを設定することによって、ＵＬ−ＭＵ−ＭＩＭＯ  ＴＸＯＰに対する要求を示すことができる。
【００５１】
[0073]図７は、図１とともに、ユーザ端末１２０ＡがＵＬ−ＭＵ−ＭＩＭＯ送信を要求して開始するためにＲＴＸメッセージ７０１をＡＰ１１０に送ることを含むＵＬ−ＭＵ−ＭＩＭＯ通信の例を示す、時間シーケンス図７００である。この実施形態では、ユーザ端末１２０ＡによってＡＰ１１０に送られるＲＴＸメッセージ７０１は、ＵＬ−ＭＵ−ＭＩＭＯ送信に関する情報を含む。他の実施形態では、ＲＴＸメッセージはユーザ端末１２０Ｂによって送られ得る。図７に示されるように、ＡＰ１１０は、ＣＴＸメッセージ４０２の直後にＵＬ−ＭＵ−ＭＩＭＯ送信４１０Ａを送るために、ＵＬ−ＭＵ−ＭＩＭＯ  ＴＸＯＰ７３０をユーザ端末１２０Ａに対して認めるＣＴＸメッセージ４０２によって、ＲＴＸメッセージ７０１に応答することができる。ＣＴＸメッセージ４０２はまた、ＵＬ−ＭＵ−ＭＩＭＯ送信４１０ＡとともにＵＬ−ＭＵ−ＭＩＭＯ送信４１０Ｂを同時に送るためのＵＬ−ＭＵ−ＭＩＭＯ  ＴＸＯＰ７３０をユーザ端末１２０Ｂに対して認めることができ、送信４１０Ａと４１０Ｂの両方がＣＴＸメッセージ４０２の直後である。上で説明されたように、ユーザ端末１２０Ａは、ＣＴＸ４０２においてＡＰ１１０によって示される持続時間の間、ＵＬ−ＭＵ−ＭＩＭＯ送信４１０Ａを送ることができ、ユーザ端末１２０Ｂも、同じ持続時間の間、ＵＬ−ＭＵ−ＭＩＭＯ送信４１０Ｂを送ることができる。
【００５２】
[0074]別の態様では、ＡＰ１１０は、単一ユーザ（ＳＵ）ＵＬ  ＴＸＯＰを認めるＣＴＳによって応答することができる。別の態様では、ＡＰ１１０は、ＲＴＸ７０１の受信に確認応答するが即刻のＵＬ−ＭＵ−ＭＩＭＯ  ＴＸＯＰを認めないフレーム（たとえば、ＡＣＫまたは特別な指示を伴うＣＴＸ）によって応答することができる。別の態様では、ＡＰ１１０は、ＲＴＸ７０１の受信に確認応答し、即刻のＵＬ−ＭＵ−ＭＩＭＯ  ＴＸＯＰを認めないが、遅れたＵＬ−ＭＵ−ＭＩＭＯ  ＴＸＯＰを認める、フレームによって応答することができ、ＴＸＯＰが認められる時間を特定することができる。この実施形態では、ＡＰ１１０は、認められる時間においてＵＬ−ＭＵ−ＭＩＭＯを開始するためにＣＴＸメッセージ４０２を送ることができる。
【００５３】
[0075]別の態様では、ＡＰ１１０は、ＵＬ−ＭＵ−ＭＩＭＯ送信をユーザ端末１２０に認めないがユーザ端末１２０が別の送信（たとえば、別のＲＴＸを送ること）を試みる前にある時間（Ｔ）待機すべきであることを示す、ＡＣＫまたは他の確認信号によってＲＴＸ７０１に応答することができる。この態様では、時間（Ｔ）は、準備段階において、または応答信号において、ＡＰ１１０によって示され得る。別の態様では、ＡＰ１１０およびユーザ端末１２０は、ユーザ端末１２０がＲＴＸ７０１、ＲＴＳ、ＰＳポール、またはＵＬ−ＭＵ−ＭＩＭＯ  ＴＸＯＰに対する任意の他の要求を送信し得る時間について合意し得る。
【００５４】
[0076]別の動作モードでは、ユーザ端末１２０は、通常のコンテンションプロトコルに従ってＵＬ−ＭＵ−ＭＩＭＯ送信４１０に対する要求を送信することができる。別の態様では、ＵＬ−ＭＵ−ＭＩＭＯを使用するユーザ端末１２０のためのコンテンションパラメータは、ＵＬ−ＭＵ−ＭＩＭＯ機能を使用していない他のユーザ端末に対するものとは異なる値に設定される。この実施形態では、ＡＰ１１０は、ビーコンにおいて、アソシエーション応答において、または管理フレームを通じて、コンテンションパラメータの値を示し得る。別の態様では、ＡＰ１１０は、各々の成功したＵＬ−ＭＵ−ＭＩＭＯ  ＴＸＯＰの後の、または各ＲＴＸ、ＲＴＳ、ＰＳポール、もしくはＱｏＳヌルフレームの後のある長さの時間、ユーザ端末１２０が送信するのを防ぐ遅延タイマーを提供し得る。このタイマーは、各々の成功したＵＬ−ＭＵ−ＭＩＭＯ  ＴＸＯＰの後で再始動され得る。一態様では、ＡＰ１１０は、準備段階において遅延タイマーをユーザ端末１２０に示してよく、または遅延タイマーは、各ユーザ端末１２０に対して異なっていてよい。別の態様では、ＡＰ１１０は、ＣＴＸメッセージ４０２において遅延タイマーを示してよく、または、遅延タイマーは、ＣＴＸメッセージ４０２におけるユーザ端末１２０の順序に依存してよく、各端末に対して異なっていてよい。
【００５５】
[0077]別の動作モードでは、ＡＰ１１０は、ユーザ端末１２０がＵＬ−ＭＵ−ＭＩＭＯ送信を送信することが許可される時間間隔を示し得る。一態様では、ＡＰ１１０は、ユーザ端末がＵＬ−ＭＵ−ＭＩＭＯ送信を求めるためにＲＴＸまたはＲＴＳまたは他の要求をＡＰ１１０に送ることが許可される時間間隔をユーザ端末１２０に示す。この態様では、ユーザ端末１２０は、通常のコンテンションプロトコルを使用することができる。別の態様では、ユーザ端末はその時間間隔においてＵＬ−ＭＵ−ＭＩＭＯ送信を開始できないが、ＡＰ１１０はＵＬ−ＭＵ−ＭＩＭＯ送信を開始するためにＣＴＸまたは他のメッセージをユーザ端末に送ることができる。
【００５６】
[0078]いくつかの実施形態では、ＵＬ−ＭＵ−ＭＩＭＯがイネーブルにされたユーザ端末１２０は、ＵＬのための保留中のデータを有するので、ＵＬ−ＭＵ−ＭＩＭＯ  ＴＸＯＰを要求することをＡＰ１１０に示すことができる。一態様では、ユーザ端末１２０は、ＵＬ−ＭＵ−ＭＩＭＯ  ＴＸＯＰを要求するために、ＲＴＳまたはＰＳポールを送ることができる。別の実施形態では、ユーザ端末１２０は、サービス品質（ＱｏＳ）ヌルデータフレームを含む任意のデータフレームを送ることができ、ＱｏＳ制御フィールドのビット８〜１５は空ではないキューを示す。この実施形態では、ユーザ端末１２０は、ＱｏＳ制御フィールドのビット８〜１５が空ではないキューを示すとき、どのデータフレーム（たとえば、ＲＴＳ、ＰＳポール、ＱｏＳヌルなど）がＵＬ−ＭＵ−ＭＩＭＯ送信を引き起こすかを、準備段階の間に決定することができる。一実施形態では、ＲＴＳ、ＰＳポール、またはＱｏＳヌルフレームは、ＡＰ１１０がＣＴＸメッセージ４０２によって応答することを許可または禁止する１ビットの指示を含み得る。別の実施形態では、ＱｏＳヌルフレームは、ＴＸ電力情報とＴＩＤごとのキュー情報とを含み得る。ＴＸ電力情報およびＴＩＤごとのキュー情報は、ＱｏＳヌルフレーム中の２バイトのシーケンス制御およびＱｏＳ制御フィールドに挿入されてよく、修正されたＱｏＳヌルフレームは、ＵＬ−ＭＵ−ＭＩＭＯ  ＴＸＯＰを要求するためにＡＰ１１０に送られ得る。別の実施形態では、図１と図７とを参照すると、ユーザ端末１２０は、ＵＬ−ＭＵ−ＭＩＭＯ  ＴＸＯＰを要求するためにＲＴＸ７０１を送ることができる。
【００５７】
[0079]図４〜図７を参照して上で説明されたように、ＲＴＳ、ＲＴＸ、ＰＳポール、またはＱｏＳヌルフレーム、または上で説明されたような他のトリガフレームを受信したことに応答して、ＡＰ１１０はＣＴＸメッセージ４０２を送ることができる。一実施形態では、ＣＴＸメッセージ４０２の送信およびＵＬ−ＭＵ−ＭＩＭＯ送信４１０Ａと４１０Ｂの完了の後で、ＴＸＯＰは、残りのＴＸＯＰをどのように使用するかを決定することができるユーザ端末１２０Ａおよび１２０Ｂに戻ることができる。別の実施形態では、ＣＴＸメッセージ４０２の送信およびＵＬ−ＭＵ−ＭＩＭＯ送信４１０Ａと４１０Ｂの完了の後で、ＴＸＯＰはＡＰ１１０に戻ることができ、ＡＰ１１０は、別のＣＴＸメッセージ４０２をＵＴ１２０Ａと１２０Ｂのいずれかまたは他のＵＴに送ることによって、追加のＵＬ−ＭＵ−ＭＩＭＯ送信のために残りのＴＸＯＰを使用することができる。
【００５８】
[0080]図８は、多ユーザアップリンク通信を示すメッセージタイミング図８００である。このメッセージ交換は、ＡＰ１１０と３つのユーザ端末１２０Ａ〜Ｃとの間のワイヤレスメッセージの通信を示す。メッセージ交換は、ユーザ端末１２０Ａ〜ｃの各々がリクエストツートランスミット（ＲＴＸ）メッセージ８０２Ａ〜ＣをＡＰ１１０に送信できることを示し得る。ＲＴＸメッセージ８０２Ａ〜Ｃの各々は、ＡＰ１１０に送信されることが可能なデータを送信ユーザ端末１２０Ａ〜Ｃが有することを示し得る。
【００５９】
[0081]ＲＴＸメッセージ８０２Ａ〜Ｃの各々を受信した後で、ＡＰ１１０は、ＡＰ１１０がユーザ端末１２０Ａ〜ＣからＲＴＸメッセージ８０２Ａ〜Ｃの各々を受信したことを示すメッセージによって応答することができる。図８に示されるように、ＡＰ１１０は、各ＲＴＸメッセージ８０２Ａ〜Ｃに応答してＡＣＫメッセージ８０３Ａ〜Ｃを送信することができる。いくつかの実施形態では、ＡＰ１１０は、ＲＴＸメッセージ８０２Ａ〜Ｃの各々が受信されたがＡＰ１１０がユーザ端末１２０Ａ〜Ｃのための送信機会をアップリンクデータに対して認めていないことを示すメッセージ（たとえば、ＣＴＸメッセージ）を送信することができる。図８では、最後のＡＣＫメッセージ８０３Ｃを送った後で、ＡＰ１１０がＣＴＸメッセージ８０４を送信することができる。いくつかの態様では、ＣＴＸメッセージ８０４は、少なくともユーザ端末１２０Ａ〜Ｃに送信される。いくつかの態様では、ＣＴＸメッセージ８０４はブロードキャストメッセージである。ＣＴＸメッセージ８０４は、送信機会の間にどのユーザ端末がＡＰ１１０へデータを送信するための許可を与えられるかを示し得る。ＣＴＸメッセージ８０４はまた、送信機会の開始時間と送信機会の持続時間とを示し得る。たとえば、ＣＴＸメッセージ８０４は、ユーザ端末１２０Ａ〜ＣがＮＡＶ８１２と一致するようにネットワーク割振りベクトルを設定すべきであることを示し得る。
【００６０】
[0082]ＣＴＸメッセージ８０４によって示される時間において、３つのユーザ端末１２０Ａ〜Ｃはデータ８０６Ａ〜ＣをＡＰ１１０に送信する。データ８０６ａ〜ｃは、送信機会の間に少なくとも部分的に同時に送信される。データ８０６Ａ〜Ｃの送信は、アップリンク多ユーザ多入力、多出力送信（ＵＬ−ＭＵ−ＭＩＭＯ）またはアップリンク周波数分割多元接続（ＵＬ−ＦＤＭＡ）を利用することができる。
【００６１】
[0083]いくつかの態様では、ユーザ端末１２０Ａ〜Ｃは、送信機会の間に送信する各ユーザ端末の送信の持続時間が等しくなるように、またはほぼ等しくなるように、パディングされたデータを送信することができる。図８のメッセージ交換では、ユーザ端末１２０Ａはパッドデータ８０８Ａを送信してよく、ユーザ端末１２０Ｃはパッドデータを送信しなくてよく、ユーザ端末１２０Ｃはパッドデータ８０８ｃを送信してよい。パッドデータの送信は、ＵＴ１２０Ａ〜Ｃの各々からの送信がほぼ同時に完了することを確実にする。このことは、送信の持続時間全体にわたるより均等な送信電力を実現し、これによってＡＰ１１０の受信機の効率を最適化することができる。
【００６２】
[0084]ＡＰ１１０がユーザ端末１２０Ａ〜Ｃからデータ送信８０６Ａ〜Ｃを受信した後で、ＡＰ１１０は、確認応答メッセージ８１０Ａ〜Ｃをユーザ端末１２０Ａ〜Ｃの各々に送信することができる。いくつかの態様では、確認応答メッセージ８１０Ａ〜Ｃは、ＤＬ−ＭＵ−ＭＩＭＯまたはＤＬ−ＦＤＭＡのいずれかを使用して少なくとも部分的に同時に送信され得る。
【００６３】
[0085]図９は、ＲＴＸフレーム９００の一実施形態の図である。ＲＴＸフレーム９００は、フレーム制御（ＦＣ）フィールド９１０と、任意選択の持続時間フィールド９１５と、送信機アドレス／割振り識別子（ＴＡ／ＡＩＤ）フィールド９２０と、受信機アドレス／基本サービスセット識別子（ＲＡ／ＢＳＳＩＤ）フィールド９２５と、ＴＩＤフィールド９３０と、推定送信（ＴＸ）時間フィールド９５０と、ＴＸ電力フィールド９７０とを含み得る。ＦＣフィールド９１０は、制御サブタイプまたは拡張サブタイプを示し得る。持続時間フィールド９１５は、ネットワーク割振りベクトル（ＮＡＶ）を設定することを、ＲＴＸフレーム９００の任意の受信機に対して示し得る。一態様では、ＲＴＸフレーム９００は持続時間フィールド９１５を有しないことがある。ＴＡ／ＡＩＤフィールド９２０は、ＡＩＤまたは完全なＭＡＣアドレスであり得るソースアドレスを示し得る。ＲＡ／ＢＳＳＩＤフィールド９２５は、ＲＡまたはＢＳＳＩＤを示し得る。一態様では、ＲＴＸフレーム９００はＲＡ／ＢＳＳＩＤフィールド９２５を含まないことがある。ＴＩＤフィールド９３０は、ユーザ端末がそれについてのデータを有するアクセスカテゴリ（ＡＣ）を示し得る。推定ＴＸ時間フィールド９５０は、現在の計画されているＭＣＳにおいてユーザ端末１２０がバッファ中のすべてのデータを送るために必要とされる時間の長さに基づいて、ＵＬ−ＴＸＯＰのために必要とされる時間を示し得る。ＴＸ電力フィールド９７０は、ＲＴＸフレーム９００が送信されている電力の水準を示すことができ、リンク品質を推定してＣＴＸフレーム中の電力バックオフの指示を適合させるためにＡＰ１１０によって使用され得る。
【００６４】
[0086]いくつかの実施形態では、ＵＬ−ＭＵ−ＭＩＭＯ通信が発生し得る前に、ＡＰ１１０は、ＵＬ−ＭＵ−ＭＩＭＯ通信に参加しているユーザ端末１２０から情報を集めることができる。ＡＰ１１０は、ユーザ端末１２０からのＵＬ送信をスケジューリングすることによって、ユーザ端末１２０からの情報の集合体を最適化することができる。
【００６５】
[0087]上で論じられたように、ＣＴＸメッセージ４０２は種々の通信において使用され得る。図１０は、ＣＴＸフレーム１０００の構造のある例の図である。この実施形態では、ＣＴＸフレーム１０００は、フレーム制御（ＦＣ）フィールド１００５と、持続時間フィールド１０１０と、受信機アドレスフィールド１０１４と、送信機アドレス（ＴＡ）フィールド１０１５と、制御（ＣＴＲＬ）フィールド１０２０と、ＰＰＤＵ持続時間フィールド１０２５と、ＵＴ情報フィールド１０３０と、フレームチェックシーケンス（ＦＣＳ）フィールド１０８０とを含む、制御フレームである。ＦＣフィールド１００５は、制御サブタイプまたは拡張サブタイプを示す。持続時間フィールド１０１０は、ネットワーク割振りベクトル（ＮＡＶ）を設定することを、ＣＴＸフレーム１０００の任意の受信機に対して示す。いくつかの実施形態では、ＲＡ１０１４フィールドは、マルチキャストＭＡＣアドレスを通じてＵＴのグループを特定する。ＴＡフィールド１０１５は、送信機アドレスまたはＢＳＳＩＤを示す。ＣＴＲＬフィールド１０２０は、フレームの残りの部分のフォーマット（たとえば、ＵＴ情報フィールドの数およびＵＴ情報フィールド内の任意のサブフィールドの存在または不在）と、ユーザ端末１２０に対するレート適合のための指示と、許可されるＴＩＤの指示と、ＣＴＳがＣＴＸフレーム１０００の直後に送られるべきであることの指示とを含み得る、一般的なフィールドである。ＣＴＲＬフィールド１０２０はまた、ＣＴＸフレーム１０００がＵＬ  ＭＵ  ＭＩＭＯのために使用されているか、ＵＬ  ＦＤＭＡのために使用されているか、またはその両方のために使用されているかを示し、Ｎｓｓまたはトーン割振りフィールドがＵＴ情報フィールド１０３０の中に存在するかどうかを示すことができる。代替的に、ＣＴＸがＵＬ  ＭＵ  ＭＩＭＯのためのものかＵＬ  ＦＤＭＡのためのものかの指示は、サブタイプの値に基づき得る。ＵＬ−ＭＵ−ＭＩＭＯおよびＵＬ  ＦＤＭＡの動作は、使用されるべき空間ストリームと使用されるべきチャネルの両方をＵＴに対して指定することによって一緒に実行されてよく、この場合、両方のフィールドがＣＴＸの中に存在し、この場合、Ｎｓｓの指示は特定のトーンの割振りと呼ばれるに留意されたい。ＰＰＤＵ持続時間１０２５フィールドは、ユーザ端末１２０が送ることが許可される後続のＵＬ−ＭＵ−ＭＩＭＯ  ＰＰＤＵの持続時間を示す。ＡＰ１１０は、ユーザ端末１２０から少なくとも１つのＲＴＸメッセージにおいて受信される推定ＴＸ時間フィールドに基づいて、ユーザ端末１２０が送ることが許可される後続のＭｕ−ＭＩＭＯ  ＰＰＤＵの持続時間を決定することができる。ＵＴ情報１０３０フィールドは、特定のＵＴに関する情報を含み、情報のＵＴごとの（ユーザ端末１２０ごとの）セットを含み得る（ＵＴ情報１  １０３０とＵＴ情報Ｎ  １０７５とを参照されたい）。ＵＴ情報１０３０フィールドは、ＵＴを特定するＡＩＤまたはＭＡＣアドレスフィールド１０３２と、ＵＴが（ＵＬ−ＭＵ−ＭＩＭＯシステムにおいて）使用し得る空間ストリームの数を示す空間ストリームの数フィールド（Ｎｓｓ）１０３４フィールドと、ＵＴがトリガフレーム（こ��場合はＣＴＸ）の受信と比較して送信を調整すべきである時間を示す時間調整１０３６フィールドと、ＵＴが公表されている送信電力に対して行うべき電力バックオフを示す電力調整１０３８フィールドと、ＵＴが（ＵＬ−ＦＤＭＡシステムにおいて）使用し得るトーンまたは周波数を示すトーン割振り１０４０フィールドと、許容可能なＴＩＤを示す許可されるＴＩＤ１０４２フィールドと、許可されるＴＸモードを示す許可されるＴＸモード１０４４フィールドと、ＵＴが使用すべきＭＣＳを示すＭＣＳ１０４６フィールドとを含み得る。許可されるＴＩＤ１０４２の指示を伴うＣＴＸを受信するユーザ端末１２０は、そのＴＩＤのデータのみ、同じまたはより高いＴＩＤのデータ、同じまたはより低いＴＩＤのデータ、任意のデータを送信することが許可されてよく、または、そのＴＩＤのデータのみをまず送信し、利用可能なデータがない場合は他のＴＩＤのデータを送信することが許可されてよい。ＦＣＳ１０８０フィールドは、ＣＴＸフレーム１０００のエラー検出のために使用されるＦＣＳの値を搬送することを示す。
【００６６】
[0088]図１１は、ＣＴＸフレーム１１００の構造の別の例の図である。図１０とともにこの実施形態において、ＵＴ情報１０３０フィールドは、ＡＩＤまたはＭＡＣアドレス１０３２フィールドを含まず、代わりに、ＣＴＸフレーム１０００は、個々の識別子ではなくグループ識別子によってＵＴを特定する、グループ識別子（ＧＩＤ）１０２６フィールドを含む。図１２は、ＣＴＸフレーム１２００の構造の別の例の図である。図１１とともにこの実施形態では、ＧＩＤ１０２６フィールドは、マルチキャストＭＡＣアドレスを通じてＵＴのグループを特定するＲＡ１０１４フィールドと置き換えられる。
【００６７】
[0089]図１３は、ＣＴＸフレーム１３００の構造のある例の図である。この実施形態では、ＣＴＸフレーム１３００は、管理ＭＡＣヘッダ１３０５フィールドと、ボディ１３１０フィールドと、ＦＣＳ１３８０フィールドとを含む、管理フレームである。ボディ１３１０フィールドは、情報要素（ＩＥ）を特定するＩＥ  ＩＤ１３１５フィールドと、ＣＴＸフレーム１３００の長さを示すＬＥＮ１３２０フィールドと、ＣＴＲＬ１０２０フィールドと同じ情報を含むＣＴＲＬ１３２５フィールドと、ユーザ端末１２０が送ることが許可される後続のＵＬ−ＭＵ−ＭＩＭＯ  ＰＰＤＵの持続時間を示すＰＰＤＵ持続時間１３３０フィールドと、ＵＴ情報１  １３３５フィールドと、後続のＵＬ−ＭＵ−ＭＩＭＯ送信において使用するためのすべてのＵＴに対するＭＣＳ、または、後続のＵＬ−ＭＵ−ＭＩＭＯ送信において使用するためのすべてのＵＴに対するＭＣＳバックオフを示し得るＭＣＳ１３７５フィールドとを含む。（ＵＴ情報Ｎ  １３７０とともに）ＵＴ情報１  １３３５フィールドは、ＵＴを特定するＡＩＤ１３４０フィールドと、ＵＴが（ＵＬ−ＭＵ−ＭＩＭＯシステムにおいて）使用し得る空間ストリームの数を示す空間ストリームの数フィールド（Ｎｓｓ）１３４２フィールドと、ＵＴがトリガフレーム（この場合はＣＴＸ）の受信と比較して送信を調整すべきである時間を示す時間調整１３４４フィールドと、ＵＴが公表されている送信電力に対して行うべき電力バックオフを示す電力調整１３４８フィールドと、ＵＴが（ＵＬ−ＦＤＭＡシステムにおいて）使用し得るトーンまたは周波数を示すトーン割振り１３４８フィールドと、許容可能なＴＩＤを示す許可されるＴＩＤ１３５０フィールドと、ＵＴがアップリンクデータを送信するための開始時間を示すＴＸ開始時間フィールド１０４８とを含む、ＵＴごとのフィールドを表す。
【００６８】
[0090]一実施形態では、ＣＴＸフレーム１０００またはＣＴＸフレーム１３００は、ＵＬ信号を送信する前に処理するための時間をユーザ端末１２０に与えるために、１つのＡ−ＭＰＤＵに集約され得る。この実施形態では、今後来るパケットを処理するための追加の時間をユーザ端末１２０に許可するために、ＣＴＸの後にパディングまたはデータが追加され得る。ＣＴＸフレームをパディングすることの１つの利点は、上で説明されたようなフレーム間空間（ＩＦＳ）を増大させることと比較して、他のユーザ端末１２０からのＵＬ信号についての起こり得るコンテンションの問題が避けられることであり得る。一態様では、ＣＴＸが管理フレームである場合、追加のパディング情報要素（ＩＥ）が送られ得る。一態様では、ＣＴＸが１つのＡ−ＭＰＤＵに集約される場合、追加のＡ−ＭＰＤＵパディングデリミタが含まれ得る。パディングデリミタは、フレームの終わり（ＥｏＦ）デリミタ（たとえば、４バイト）または他のパディングデリミタであり得る。別の態様では、パディングは、データ、制御または管理ＭＰＤＰＵがＩＦＳ応答時間内に処理されることが必要とされない限り、それらを追加することによって達成され得る。ＭＰＤＵは、即刻の応答が必要とされないことと、後続のＭＰＤＵのいずれによっても必要とされないであろうこととを受信機に示す、指示を含み得る。別の態様では、ユーザ端末１２０は、ＣＴＸフレームに対する最小の持続時間またはパディングをＡＰ１１０に対して要求し得る。別の実施形態では、パディングは、情報を搬送しない未定義のビットを含み得る、または、情報を搬送するビットシーケンスを含み得る、ＰＨＹ  ＯＦＤＭＡシンボルを、ＩＦＳ時間内に処理されることが必要ではない限り、追加することによって達成され得る。
【００６９】
[0091]いくつかの実施形態では、ＡＰ１１０はＣＴＸ送信を開始することができる。一実施形態では、ＡＰ１１０は、通常のエンハンスト配信チャネルアクセス（ＥＤＣＡ：enhanced distribution channel access）コンテンションプロトコルに従って、ＣＴＸメッセージ４０２を送ることができる。別の実施形態では、ＡＰ１１０は、予定された時間にＣＴＸメッセージ４０２を送ることができる。この実施形態では、予定された時間は、ユーザ端末１２０のグループが媒体にアクセスするために確保されている時間を示すビーコン中の制限付きアクセス時間枠（ＲＡＷ：restricted access window）の指示、ＵＬ−ＭＵ−ＭＩＭＯ送信に参加するために同時に起動するように複数のユーザ端末１２０に示す、各ユーザ端末１２０との目標起動時間（ＴＷＴ：target wake time）の合意、または他のフィールド中の情報を使用することによって、ＡＰ１１０によってユーザ端末１２０に対して示され得る。ＲＡＷおよびＴＷＴの外側では、ユーザ端末１０２は、任意のフレームを、またはフレームのサブセット（たとえば、非データフレーム）のみを送信することが許可され得る。あるフレームを送信することも禁止され得る（たとえば、データフレームを送信することが禁止され得る）。ユーザ端末１２０はまた、ユーザ端末１２０がスリープ状態にあることを示し得る。ＣＴＸをスケジューリングすることに対する１つの利点は、複数のユーザ端末１２０が同じＴＷＴまたは同じＲＡＷ時間を示され得るとともにＡＰ１１０からの送信を受信し得ることである。
【００７０】
[0092]図１とともに図４〜図６を参照すると、ＵＬ−ＭＵ−ＭＩＭＯ送信４１０Ａおよび４１０Ｂは、同じ持続時間を有し得る。ユーザ端末１２０は、データの送信を計画することができ、データを送信することを要求するメッセージ（たとえば、ＲＴＸ）をＡＰ１１０に送ることができる。ＡＰ１１０からのメッセージ（たとえば、ＣＴＸメッセージ４０２）は、ＵＬ−ＭＵ−ＭＩＭＯ機能を利用するユーザ端末１２０からのＵＬ−ＭＵ−ＭＩＭＯ送信４１０に対する目標送信持続時間を示し得る。目標送信持続時間はまた、準備段階においてＡＰ１１０およびユーザ端末１２０によって決定され得る。ユーザ端末１２０は、計画されたデータ中のビットの数ならびにユーザ端末１２０の動作および送信パラメータ（たとえば、集約のレベルおよびＭＣＳ）に基づいて、ユーザ端末１２０が送信のために有する、送信のための計画されたデータの計画された送信持続時間を決定することができる。ユーザ端末１２０は、送信のためのデータの計画された送信持続時間が、目標送信持続時間に合うか（fit）、それを超えるか、またはそれに達しないかを決定することができる。いくつかの状況では、ユーザ端末１２０は、送信されるときに、ユーザ端末１２０が修正せずにデータを送信できるような、目標送信持続時間に合う（たとえば、それに等しい）計画された送信持続時間を有する、送信のための計画されたデータを有し得る。他の状況では、ユーザ端末１２０は、送信されるときに目標送信持続時間を超える計画された送信持続時間を有する、送信のための計画されたデータを有し得る。そのような状況では、データの計画された送信持続時間が目標送信持続時間に合うように減らされるように、ユーザ端末１２０は、計画されたデータまたはその動作および送信パラメータを変更し得る。他の状況では、ユーザ端末１２０は、送信されるときに目標送信持続時間に達しない計画された送信持続時間を有する、送信のための計画されたデータを有し得る。そのような状況では、データの計画された送信持続時間が目標送信持続時間に合うように増やされるように、ユーザ端末１２０は、計画されたデータまたはその動作または送信パラメータを変更し得る。
【００７１】
[0093]いくつかの態様では、ＡＰ１１０は、ユーザ端末１２０が変更できるパラメータを制約することができる。ＡＰ１１０は、トリガフレームにおいてそのような制約を示し得る。一態様では、ＡＰ１１０は、ユーザ端末１２０に対する目標送信持続時間を規定することができ、ユーザ端末１２０は各々、ＵＬ  ＰＰＤＵ持続時間と、データペイロードサイズと、ＭＣＳと、充填データの量とを決定することができる。別の態様では、ＡＰ１１０は、ユーザ端末１２０に対する目標送信持続時間とＵＬ  ＰＰＤＵ持続時間とを規定することができ、ユーザ端末１２０は各々、データペイロードサイズと、ＭＣＳと、充填データの量とを決定することができる。別の態様では、ＡＰ１１０は、ユーザ端末１２０に対する目標送信持続時間と、ＵＬ  ＰＰＤＵ持続時間と、ＭＣＳとを規定することができ、ユーザ端末１２０は各々、データペイロードサイズと充填データの量とを調整することができる。
【００７２】
[0094]いくつかの態様では、ユーザ端末１２０は、データペイロードサイズを示す情報をＡＰ１１０に送ることができる。１つのそのような態様では、ＡＰ１１０は、ユーザ端末１２０のデータペイロードサイズに基づいて各ユーザ端末１２０に対する充填データの量を決定することができ、ＡＰ１１０は、トリガフレームにおいて、ユーザ端末１２０の各々に対する使用すべき充填データの量と、目標送信持続時間と、ＵＬ  ＰＰＤＵ持続時間と、ＭＣＳとを示すことができる。この態様では、ユーザ端末１２０の各々はデータペイロードサイズを決定することができる。別のそのような態様では、ＡＰ１１０は、ユーザ端末１２０の各々に対する目標送信持続時間と、ＵＬ  ＰＰＤＵ持続時間と、データペイロードサイズと、ＭＣＳと、充填データの量とを示し得る。別の態様では、ＡＰ１１０は、下で論じられるさらに論じられるような、使用するための各ユーザ端末１２０に対するデータ集約のレベルを示し得る。したがって、ユーザ端末１２０は、トリガフレームにおいてＡＰ１１０によって規定されない動作および送信パラメータの調整を決定することができる。図１４〜２２は、ユーザ端末１２０が目標送信持続時間に合うように送信のためのデータまたは動作および送信パラメータに対して行い得る変更の例を示す。
【００７３】
[0095]図１４は、送信機会の間のＵＬ−ＭＵ−ＭＩＭＯ送信のための目標送信持続時間１４２０に合うように、ユーザ端末１２０が送信のための計画されたデータを断片化すること（fragmenting）を示す時間シーケンス図１４００である。図１４の点線の矢印は、ユーザ端末１２０によって送信されるような第１のＰＰＤＵ１４１０Ａの持続時間が送信のためのデータの第１の部分１４０６Ａの計画された送信持続時間と同じままであることを示す。上で説明されたように、ＡＰ１１０は、送信機会をユーザ端末１２０に認めるメッセージ（たとえば、ＣＴＸメッセージ）において目標送信持続時間１４２０を示し得る。図１４に示されるように、ユーザ端末１２０は、送信されるときに目標送信持続時間１４２０を超える計画された送信持続時間を有する、送信のための計画されたデータ１４０６を有し得る。ユーザ端末１２０は、計画されたデータ１４０６をデータの第１の部分１４０６Ａおよびデータの第２の部分１４０６Ｂに断片化することによって、目標送信持続時間１４２０に合うように計画されたデータ１４０６を変更することができる。第１の部分のデータ１４０６Ａを含む第１のＰＰＤＵ１４１０Ａは、ＵＬ−ＭＵ−ＭＩＭＯ動作モードに従ってユーザ端末１２０によって送信されるとき、目標送信持続時間１４２０に合う送信持続時間を有し得る。データの第２の部分１４０６Ｂは、後の時間に（たとえば、後続の送信機会の間に）第２のＰＰＤＵ  １４１０Ｂにおいてユーザ端末１２０によって送信され得る。したがって、ユーザ端末１２０は、ＰＰＤＵの長さがＡＰ１１０によって示される目標送信持続時間と一致するように、第１のＰＰＤＵ  １４１０Ａを構築することができる。
【００７４】
[0096]図１５は、送信機会の間のＵＬ−ＭＵ−ＭＩＭＯ送信のための目標送信持続時間１５２０に合うように、ユーザ端末１２０が送信データレートを下げることを示す時間シーケンス図１５００である。図１５の点線の矢印は、ユーザ端末１２０が計画された送信データレートを下げることに起因する、送信持続時間の増大を示す。上で説明されたように、ＡＰ１１０は、送信機会をユーザ端末１２０に認めるメッセージ（たとえば、トリガフレームまたはＣＴＸメッセージ）において目標送信持続時間１５２０を示し得る。図１５に示されるように、ユーザ端末１２０は、計画された動作および送信パラメータに従って送信されるときに目標送信持続時間１５２０に達しない計画された送信持続時間を有する、送信のための計画されたデータ１５０６を有し得る。したがって、ユーザ端末１２０は、目標送信持続時間１５２０に合うように動作および送信パラメータを変更することができる。たとえば、ユーザ端末１２０は、目標送信持続時間１５２０に合うようにより低いデータレート（たとえば、より遅いＭＣＳ）でデータ１５０６を送信することができる。ユーザ端末１２０はまた、アップリンクデータの送信のためのコーディング方式とガード間隔とを調整することができる。上で説明されたように、ＡＰ１１０は、各ユーザ端末１２０に対するＭＣＳの調整を決定してそれをトリガフレーム中で示すことができ、または、各ユーザ端末１２０は、ＭＣＳの調整を自身で決定することができる。データ１５０６を含むＰＰＤＵ１５１０は、ＵＬ−ＭＵ−ＭＩＭＯ動作モードに従ってより低いデータレートでユーザ端末１２０によって送信されるとき、目標送信持続時間１５２０に合う送信持続時間を有し得る。
【００７５】
[0097]図１６は、送信機会の間のＵＬ−ＭＵ−ＭＩＭＯ送信のための目標送信持続時間１６２０に合うように、ユーザ端末１２０が送信データレートを上げることを示す時間シーケンス図１６００である。図１６の点線の矢印は、ユーザ端末１２０によって送信されるようなＰＰＤＵ１６１０を生成するためにユーザ端末１２０が送信のためのデータ１６０６の送信データレートを上げることに起因する、送信持続時間の減少を示す。上で説明されたように、ＡＰ１１０は、送信機会をユーザ端末１２０に認めるメッセージ（たとえば、ＣＴＸメッセージ）において目標送信持続時間１６２０を示し得る。図１６に示されるように、ユーザ端末１２０は、送信されるときに目標送信持続時間１６２０を超える計画された送信持続時間を有する、送信のための計画されたデータ１６０６を有し得る。ユーザ端末１２０は、目標送信持続時間１５２０に合うようにより高いデータレート（たとえば、より速いＭＣＳ）でデータ１０５を送信することができる。ユーザ端末１２０はまた、アップリンクデータの送信のためのコーディング方式とガード間隔とを調整することができる。上で説明されたように、ＡＰ１１０は、各ユーザ端末１２０に対するＭＣＳの調整を決定してそれをトリガフレーム中で示すことができ、または、各ユーザ端末１２０は、それ自身でＭＣＳの調整を決定することができる。データ１６０６を含むＰＰＤＵ１６１０は、ＵＬ−ＭＵ−ＭＩＭＯ動作モードに従ってより高いデータレートでユーザ端末１２０によって送信されるとき、目標送信持続時間１６２０に合う送信持続時間を有し得る。
【００７６】
[0098]図１７は、送信機会の間のＵＬ−ＭＵ−ＭＩＭＯ送信のための目標送信持続時間１７２０に合うように、ユーザ端末１２０が集約のレベルを下げることを示す時間シーケンス図１７００である。図１７の点線の矢印は、ユーザ端末１２０によって送信されるようなＰＰＤＵ１７１０を生成するためにユーザ端末１２０が送信のためのデータ１７０６に対する集約のレベルを下げることに起因する、送信持続時間の増大を示す。上で説明されたように、ＡＰ１１０は、送信機会をユーザ端末１２０に認めるメッセージ（たとえば、ＣＴＸメッセージ）において目標送信持続時間１７２０を示し得る。図１７に示されるように、ユーザ端末１２０は、送信されるときに目標送信持続時間１７２０に達しない計画された送信持続時間を有する、送信のための計画されたデータ１７０６を有し得る。ユーザ端末１２０は、媒体アクセス制御（ＭＡＣ）プロトコルデータユニット（Ａ−ＭＰＤＵ）におけるデータ集約のレベル、またはＭＡＣサービスデータユニット（Ａ−ＭＳＤＵ）におけるデータ集約のレベルを、目標送信持続時間１７２０に合うように下げることができる。ＡＰ１１０は、各ユーザ端末１２０に対する集約のレベルを決定してそれをトリガフレーム中で示すことができ、または、各ユーザ端末１２０は、集約のレベルを自身で決定することができる。データ１７０６を含むＰＰＤＵ１７１０は、ＵＬ−ＭＵ−ＭＩＭＯ動作モードに従ってより低いレベルのデータ集約でユーザ端末１２０によって送信されるとき、目標送信持続時間１７２０に合う送信持続時間を有し得る。
【００７７】
[0099]図１８は、送信機会の間のＵＬ−ＭＵ−ＭＩＭＯ送信のための目標送信持続時間１８２０に合うように、ユーザ端末１２０が集約のレベルを上げることを示す時間シーケンス図１８００である。図１８の点線の矢印は、ユーザ端末１２０によって送信されるようなＰＰＤＵ１８１０を生成するためにユーザ端末１２０が送信のための計画されたデータ１８０６に対する集約のレベルを上げることに起因する、送信持続時間の減少を示す。上で説明されたように、ＡＰ１１０は、送信機会をユーザ端末１２０に認めるメッセージ（たとえば、ＣＴＸメッセージ）において目標送信持続時間１８２０を示し得る。図１８に示されるように、ユーザ端末１２０は、送信されるときに目標送信持続時間１８２０を超える計画された送信持続時間を有する、送信のためのデータ１８０６を有し得る。ユーザ端末１２０は、Ａ−ＭＰＤＵにおけるデータ集約のレベル、またはＡ−ＭＳＤＵにおけるデータ集約のレベルを、目標送信持続時間１８２０に合うように上げることができる。ＡＰ１１０は、各ユーザ端末１２０に対する集約のレベルを決定してそれをトリガフレーム中で示すことができ、または、各ユーザ端末１２０は、集約のレベルを自身で決定することができる。データ１７０６を含むＰＰＤＵ１８１０は、ＵＬ−ＭＵ−ＭＩＭＯ動作モードに従ってより高いレベルのデータ集約でユーザ端末１２０によって送信されるとき、目標送信持続時間１８２０に合う送信持続時間を有し得る。
【００７８】
[00100]図１９は、送信機会の間のＵＬ−ＭＵ−ＭＩＭＯ送信のための目標送信持続時間１９２０に合うように、ユーザ端末１２０が充填データ１９０８を追加することを示す時間シーケンス図１９００である。図１９の点線の矢印は、ユーザ端末１２０によって送信されるようなＰＰＤＵ１９１０の送信持続時間が充填データ１９０８を除くと送信のためのデータ１９０６と同じままであることを示す。上で説明されたように、ＡＰ１１０は、送信機会をユーザ端末１２０に認めるメッセージ（たとえば、ＣＴＸメッセージ）において目標送信持続時間１９２０を示し得る。図１９に示されるように、ユーザ端末１２０は、送信されるときに目標送信持続時間１９２０に達しない計画された送信持続時間を有する、送信のための計画されたデータ１９０６を有し得る。ユーザ端末１２０は、基本データ（たとえば、送信のためのデータ１９０６）を含むＰＰＤＵ１９１０を送信することができ、また、目標送信持続時間１９２０に合うように送信機会の間にＵＬ−ＭＵ−ＭＩＭＯ動作モードに従って充填データ１９０８を送信することができる。ＡＰ１１０は、各ユーザ端末１２０に対する充填データの量を決定してそれをトリガフレーム中で示すことができ、または、各ユーザ端末１２０は、充填データの量を自身で決定することができる。他の実施形態では、充填データ１９０８はＰＰＤＵ１９１０の前に送信され得る。充填データ１９０８は、たとえば、ファイルの終わり（ＥＯＦ）パディングデリミタ、サブフレームパッドオクテット、またはＡ−ＭＰＤＵ  ＥＯＦサブフレームを含み得る。充填データ１９０８はまた、ＰＰＤＵ１９１０の前に送信され得る。別の実施形態では、充填データ１９０８は、Ａ−ＭＰＤＵの始めに追加され得る。基本データと充填データ１９０８とを含むＰＰＤＵ１９１０の組み合わされた送信持続時間は、目標送信持続時間１９２０に適合し得る。
【００７９】
[00101]図２０は、送信機会の間のＵＬ−ＭＵ−ＭＩＭＯ送信のための目標送信持続時間２０２０に合うように、ユーザ端末１２０が送信データレートを下げることと、集約のレベルを下げることと、充填データ２００８を追加することとを示す時間シーケンス図２０００である。図２０の点線の矢印は、ユーザ端末１２０によって送信されるようなＰＰＤＵ２０１０を生成するためにユーザ端末１２０が送信のためのデータ２００６に対する集約のレベルを上げてデータレートを上げることに起因する、送信持続時間の変化を示す。上で説明されたように、ＡＰ１１０は、送信機会をユーザ端末１２０に認めるメッセージ（たとえば、ＣＴＸメッセージ）において目標送信持続時間２０２０を示し得る。図２０に示されるように、ユーザ端末１２０は、送信されるときに目標送信持続時間２０２０に達しない計画された送信持続時間を有する、送信のための計画されたデータ２００６を有し得る。ユーザ端末１２０は、Ａ−ＭＰＤＵまたはＡ−ＭＳＤＵにおけるデータ集約のレベルを下げることができ、目標送信持続時間２０２０に合うようにより低いデータレートで（たとえば、ＭＣＳを調整することによって）データ２００６を送信してデータ２００８を充填することができる。上で論じられたように、ＡＰ１１０は、各ユーザ端末１２０に対するデータ集約のレベルとＭＣＳとを決定してそれをトリガフレーム中で示すことができ、または、各ユーザ端末１２０は、データ集約のレベルとＭＣＳとを自身で決定することができる。ＰＰＤＵ２０１０と充填データ２００８の組み合わされた送信持続時間は、目標送信持続時間２０２０に適合し得る。
【００８０】
[00102]図２１は、送信機会の間のＵＬ−ＭＵ−ＭＩＭＯ送信のための目標送信持続時間２１２０に合うように、ユーザ端末１２０が送信データレートを上げることと、集約のレベルを上げることと、充填データ２１０８を追加することとを示す時間シーケンス図２１００である。図２１の点線の矢印は、ユーザ端末１２０によって送信されるようなＰＰＤＵ２１１０を生成するためにユーザ端末１２０が送信のためのデータ２１０６に対する集約のレベルを下げてデータレートを下げることに起因する、送信持続時間の変化を示す。上で説明されたように、ＡＰ１１０は、送信機会をユーザ端末１２０に認めるメッセージ（たとえば、ＣＴＸメッセージ）において目標送信持続時間２１２０を示し得る。図２１に示されるように、ユーザ端末１２０は、送信されるときに目標送信持続時間２１２０を超える計画された送信持続時間を有する、送信のための計画されたデータ２１０６を有し得る。ユーザ端末１２０は、Ａ−ＭＰＤＵまたはＡ−ＭＳＤＵにおけるデータ集約のレベルを上げることができ、目標送信持続時間２１２０に合うようにより高いデータレートで（たとえば、ＭＣＳを調整することによって）データ２００６を送信してデータ２００８を充填することができる。上で論じられたように、ＡＰ１１０は、各ユーザ端末１２０に対するデータ集約のレベルとＭＣＳとを決定してそれをトリガフレーム中で示すことができ、または、各ユーザ端末１２０は、データ集約のレベルとＭＣＳとを自身で決定することができる。データ２１０６と充填データ２００８とを含むＰＰＤＵ２１１０の組み合わされた送信持続時間は、目標送信持続時間２１２０に適合し得る。
【００８１】
[00103]図２２は、目標送信持続時間２２２０に合う持続時間の送信機会の間にユーザ端末１２０Ａ〜Ｄがデータを同時に送信することを示す時間シーケンス図２２００である。上で説明されたように、ＡＰ１１０は、ユーザ端末１２０Ａ〜Ｄに送信機会を認めるメッセージ（たとえば、ＣＴＸメッセージ）において、目標送信持続時間２２２０を示し得る。図２２に示されるように、ユーザ端末１２０Ａ〜Ｄは、目標送信持続時間２２２０に合うようにデータ（たとえば、ＰＰＤＵまたは充填データ）を送信することができる。ユーザ端末１２０Ａは、上で説明されたようにＡ−ＭＰＤＵまたはＡ−ＭＳＤＵにおけるデータ集約のレベルを下げることができ、目標送信持続時間２２２０に合うように充填データ２２０８ＡとＰＰＤＵ２２１０Ａとを送信することができる。ユーザ端末１２０Ｂは、上で説明されたようにＡ−ＭＰＤＵまたはＡ−ＭＳＤＵにおけるデータ集約のレベルを上げることができ、目標送信持続時間２２２０に合うように充填データ２２０８ＢとＰＰＤＵ２２１０Ｂとを送信することができる。ユーザ端末１２０Ｃは、ＰＰＤＵ２２１０Ｃにおいて送信されるときに、データ集約のレベルを修正することなく、または充填データを追加することなく目標送信持続時間に適合する、送信のためのデータを有し得る。ユーザ端末１２０Ｄは、目標送信持続時間２２２０に合うようにＰＰＤＵ２２１０Ｄと充填データ２２０８Ｄとを送信することができる。他の実施形態では、ユーザ端末１２０は、目標送信持続時間に合うように、図１４〜図２１に示されるデータまたは動作および送信パラメータの変更の任意の組合せを使用することができる。ユーザ端末１２０Ａ〜ＤからのＵＬ−ＭＵ−ＭＩＭＯ送信のすべてを同じ長さにすることの利点の１つは、送信の電力レベルが一定のままであることであり、これによって受信機上での電力変動の負の影響が減る。
【００８２】
[00104]図２３は、ＵＬ−ＭＵ−ＭＩＭＯ送信の持続時間が目標送信持続時間に合うように、送信のためのデータまたは動作パラメータを変更するための方法のフローチャートである。ブロック２３０１において、ユーザ端末１２０は、上で説明されたリクエストツートランスミット（たとえば、ＲＴＸ）をＡＰ１１０に送ることができる。ブロック２３０２において、ユーザ端末１２０は、上で説明されたように、複数のユーザ端末１２０の各々に対するアップリンク送信機会と目標送信持続時間とを示す、ＡＰ１１０からのワイヤレスメッセージ（たとえば、ＣＴＸ）を受信することができる。
【００８３】
[00105]ブロック２３０３において、ユーザ端末１２０は、上で説明されたように、送信のためのデータを断片化することができる。ブロック２３０４において、ユーザ端末１２０は、上で説明されたように、目標送信持続時間に合うように送信データレートを調整することができる。ブロック２３０４において、ユーザ端末１２０は、上で説明されたように、目標送信持続時間に合うようにデータ集約のレベルを調整することができる。ブロック２３０６において、ユーザ端末１２０は、上で説明されたように、目標送信持続時間に合うように充填データを追加することができる。ブロック２３０３、２３０、２３０５、および２３０６におけるステップの各々はオプションであり、ユーザ端末１２０は、上で説明されたように、目標送信持続時間に合うようにこれらのステップの任意の組合せを実行することができる。ブロック２３０７において、ユーザ端末１２０は、目標送信持続時間にわたってメッセージを送信することができる。
【００８４】
[0106]情報および信号は多種多様な技術および技法のいずれかを使用して表され得ることを、当業者は理解するだろう。たとえば、上の説明全体を通じて言及され得るデータと、命令と、コマンドと、情報と、信号と、ビットと、シンボルと、チップとが、電圧、電流、電磁波、磁場または磁性粒子、光場または光学粒子、あるいはそれらの任意の組合せによって表され得る。
【００８５】
[0107]本開示で説明される実装形態への様々な修正が当業者に容易に明らかであり得るとともに、本明細書で定義される包括的な原理は、本開示の趣旨または範囲を逸脱することなく、他の実装形態にも適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示として機能すること」を意味するために使用される。本明細書で「例示的」として説明されるいかなる実装形態も、必ずしも他の実装形態よりも好ましいか、または有利であると解釈されるべきではない。
【００８６】
[0108]別個の実装形態の文脈で本明細書で説明された特定の特徴はまた、単一の実装形態において組合せで実装され得る。逆に、単一の実装形態の文脈で説明された様々な特徴は、複数の実装形態において別々に、または任意の適切な部分的な組合せで実装され得る。その上、特徴は、ある組合せで働くものとして上で説明され、初めにそのように請求されることさえあるが、請求される組合せからの１つまたは複数の特徴は、場合によってはその組合せから削除されてよく、請求される組合せは、部分的な組合せ、または部分的な組合せの変形を対象とし得る。
【００８７】
[0109]上で説明された方法の様々な動作は、様々なハードウェアコンポーネントおよび／もしくはソフトウェアコンポーネント、回路、ならびに／またはモジュールのような、動作を実行することが可能な任意の適切な手段によって実行され得る。一般に、図に示された任意の動作は、その動作を実行することが可能な対応する機能的手段によって実行され得る。
【００８８】
[0110]本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、または本明細書で説明された機能を実行するように設計されたそれらの任意の組合せにより、実装または実行され得る。汎用プロセッサは、マイクロプロセッサであり得るが、代替的に、プロセッサは、任意の市販のプロセッサ、コントローラ、マイクロコントローラ、または状態機械であり得る。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００８９】
[0111]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され得るとともにコンピュータによってアクセスされ得る、任意の他の媒体を備え得る。また、任意の接続が、適切にコンピュータ可読媒体と呼ばれる。たとえば、同軸ケーブル、光ファイバーケーブル、ツイストペア、デジタル加入者線（「ＤＳＬ」）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上の組合せも、コンピュータ可読媒体の範囲の中に含まれるべきである。
【００９０】
[0112]本明細書に開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が明記されていない限り、特定のステップおよび／またはアクションの順序および／または使用は、特許請求の範囲を逸脱することなく修正され得る。
【００９１】
[0113]さらに、本明細書で説明された方法と技法とを実行するためのモジュールおよび／または他の適切な手段は、適用可能な場合、ユーザ端末および／または基地局によってダウンロードおよび／または他の方法で取得され得ることを理解されたい。たとえば、そのようなデバイスは、本明細書で説明された方法を実行するための手段の転送を容易にするために、サーバに結合され得る。代替として、本明細書で説明された様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクのような物理記憶媒体など）を介して提供され得る。その上、本明細書で説明された方法と技法とをデバイスに提供するための任意の他の適切な技法が利用され得る。
【００９２】
[0114]上記は、本開示の態様を対象とするが、本開示の基本的な範囲を逸脱することなく、本開示の他の態様およびさらなる態様が考案されてよく、本開示の範囲は以下の特許請求の範囲によって決定される。
【図１】
2019176494.tif 000003
【図２】
2019176494.tif 000004
【図３】
2019176494.tif 000005
【図４】
2019176494.tif 000006
【図５】
2019176494.tif 000007
【図６】
2019176494.tif 000008
【図７】
2019176494.tif 000009
【図８】
2019176494.tif 000010
【図９】
2019176494.tif 000011
【図１０】
2019176494.tif 000012
【図１１】
2019176494.tif 000013
【図１２】
2019176494.tif 000014
【図１３】
2019176494.tif 000015
【図１４】
2019176494.tif 000016
【図１５】
2019176494.tif 000017
【図１６】
2019176494.tif 000018
【図１７】
2019176494.tif 000019
【図１８】
2019176494.tif 000020
【図１９】
2019176494.tif 000021
【図２０】
2019176494.tif 000022
【図２１】
2019176494.tif 000023
【図２２】
2019176494.tif 000024
【図２３】
2019176494.tif 000025
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザ端末を含む複数のユーザ端末に対して共通の目標アップリンク送信持続時間と、開始時間と、アップリンク送信機会とを示す第１のワイヤレスメッセージを、アクセスポイントから受信することと、ここにおいて、前記第１のワイヤレスメッセージは、前記アップリンク送信機会の間の前記複数のユーザ端末による同時アップリンク送信が、前記目標アップリンク送信持続時間の持続時間を有することをそれぞれ必要とすることを示す、
前記目標アップリンク送信持続時間に合わせるのに十分な量の充填データを、第２のワイヤレスメッセージに追加することと、
前記目標アップリンク送信持続時間の間、前記複数のユーザ端末のうちの第２のユーザ端末によって送信される別のメッセージと少なくとも部分的に同時に、前記示された開始時間から始めて、前記目標アップリンク送信持続時間の間、前記第１のユーザ端末から前記第２のワイヤレスメッセージを送信することと、
を備える方法。
【請求項２】
前記送信される第２のワイヤレスメッセージの送信電力レベルおよび前記複数のユーザ端末の各々からの前記送信されるワイヤレスメッセージの送信電力レベルは、前記目標アップリンク送信持続時間の間は一定である、請求項１に記載の方法。
【請求項３】
前記充填データは、フレームの終わりパディングデリミタ、サブフレームパッドオクテット、または集約された媒体アクセス制御プロトコルデータユニットのファイルの終わりサブフレームのうちの少なくとも１つを備える、請求項１に記載の方法。
【請求項４】
前記少なくとも１つのフレームの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、請求項３に記載の方法。
【請求項５】
前記目標アップリンク送信持続時間に合うように、前記第２のワイヤレスメッセージを送信するために用いられる送信データレートを調整することをさらに備える、請求項１に記載の方法。
【請求項６】
前記目標アップリンク送信持続時間に合うように、前記第２のワイヤレスメッセージに用いられる集約のレベルを調整することをさらに備える、請求項１に記載の方法。
【請求項７】
前記集約のレベルは、前記第２のワイヤレスメッセージの集約された媒体アクセス制御プロトコルデータユニットまたは集約された媒体アクセス制御サービスデータユニットにおいて調整される、請求項６に記載の方法。
【請求項８】
前記アップリンク送信機会は準備段階の間に決定される、請求項１に記載の方法。
【請求項９】
前記第２のワイヤレスメッセージは物理層コンバージェンスプロトコルデータユニットを備える、請求項１に記載の方法。
【請求項１０】
ワイヤレス通信のためのデバイスであって、
複数のユーザ端末の各々に対する目標アップリンク送信持続時間と、開始時間と、アップリンク送信機会とを示す第１のワイヤレスメッセージを、アクセスポイントから受信するように構成される受信機と、ここにおいて、前記第１のワイヤレスメッセージは、前記アップリンク送信機会の間の前記複数のユーザ端末による同時アップリンク送信が、前記目標アップリンク送信持続時間の持続時間を有することをそれぞれ必要とすることを示す、
前記目標アップリンク送信持続時間に合わせるのに十分な量の充填データを、第２のワイヤレスメッセージに追加するように構成されるプロセッサと、
前記目標アップリンク送信持続時間の間、前記複数のユーザ端末のうちの第２のユーザ端末によって送信される別のメッセージと少なくとも部分的に同時に、前記示された開始時間から始めて、前記目標アップリンク送信持続時間の間、前記第２のワイヤレスメッセージを送信するように構成される送信機と、
を備える、デバイス。
【請求項１１】
前記送信される第２のワイヤレスメッセージの送信電力レベルおよび前記複数のユーザ端末の各々からの前記送信されるワイヤレスメッセージの送信電力レベルは、前記目標アップリンク送信持続時間の間は一定である、請求項１０に記載のデバイス。
【請求項１２】
前記充填データは、フレームの終わりパディングデリミタ、サブフレームパッドオクテット、または集約された媒体アクセス制御プロトコルデータユニットのファイルの終わりサブフレームのうちの少なくとも１つを備える、請求項１０に記載のデバイス。
【請求項１３】
前記少なくとも１つのフレームの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、請求項１２に記載のデバイス。
【請求項１４】
前記プロセッサはさらに、前記目標アップリンク送信持続時間に応答して、前記第２のワイヤレスメッセージを送信するために用いられる送信データレートを調整するように構成される、請求項１０に記載のデバイス。
【請求項１５】
前記プロセッサはさらに、前記目標アップリンク送信持続時間に応答して、前記第２のワイヤレスメッセージに用いられる集約のレベルを調整するように構成される、請求項１０に記載のデバイス。
【請求項１６】
集約の前記レベルは、前記第２のワイヤレスメッセージの集約された媒体アクセス制御プロトコルデータユニットまたは集約された媒体アクセス制御サービスデータユニットにおいて調整される、請求項１５に記載のデバイス。
【請求項１７】
前記プロセッサはさらに、準備段階の間に前記アップリンク送信機会を決定するように構成される、請求項１０に記載のデバイス。
【請求項１８】
前記第２のワイヤレスメッセージは物理層コンバージェンスプロトコルデータユニットを備える、請求項１０に記載のデバイス。
【請求項１９】
ワイヤレス通信のための方法であって、
第１のメッセージを、第１のユーザ端末および第２のユーザ端末に送信することと、前記第１のメッセージは、前記第１および第２のユーザ端末を含む複数のユーザ端末に対して共通の目標アップリンク送信持続時間と、開始時間と、アップリンク送信機会とを示し、ここにおいて、前記第１のメッセージは、前記アップリンク送信機会の間の前記複数のユーザ端末による同時アップリンク送信が、前記目標アップリンク送信持続時間の持続時間を有することをそれぞれ必要とすることを示す、
前記開始時間から始めて、および前記第１のメッセージによって示される前記目標アップリンク送信持続時間の間、前記第１のおよび第２のユーザ端末から、第２および第３のワイヤレスメッセージをそれぞれ受信することと、ここにおいて、前記第２のワイヤレスメッセージは、前記目標アップリンク送信持続時間に合わせるのに十分な量の充填データを含む、
を備える方法。
【請求項２０】
前記受信される第２のワイヤレスメッセージの電力レベルおよび前記複数のユーザ端末の各々からの前記受信されるワイヤレスメッセージの電力レベルは、前記目標アップリンク送信持続時間の間は一定である、請求項１９に記載の方法。
【請求項２１】
ワイヤレス通信のためのデバイスであって、
第１のワイヤレスメッセージを、第１のユーザ端末および第２のユーザ端末に送信するように構成される送信機と、前記第１のメッセージは、前記第１および第２のユーザ端末を含む複数のユーザ端末に対して共通の目標アップリンク送信持続時間と、開始時間と、アップリンク送信機会とを示し、ここにおいて、前記第１のワイヤレスメッセージは、前記アップリンク送信機会の間の前記複数のユーザ端末による同時アップリンク送信が、前記目標アップリンク送信持続時間の持続時間を有することをそれぞれ必要とすることを示す、
前記開始時間から始めて、および前記第１のワイヤレスメッセージによって示される前記目標アップリンク送信持続時間の間、前記第１のおよび第２のユーザ端末から、第２および第３のワイヤレスメッセージをそれぞれ受信するように構成される受信機と、ここにおいて、前記第２のワイヤレスメッセージは、前記目標アップリンク送信持続時間に合わせるのに十分な量の充填データを含む、
を備えるデバイス。
【請求項２２】
前記受信される第２のワイヤレスメッセージの電力レベルおよび前記複数のユーザ端末の各々からの前記受信されるワイヤレスメッセージの電力レベルは、前記目標アップリンク送信持続時間の間は一定である、請求項２１に記載のデバイス。
【手続補正２】
【補正対象書類名】明細書
【補正対象項目名】００９２
【補正方法】変更
【補正の内容】
【００９２】
[0114]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に本願の出願当初の特許請求の範囲に記載された発明を付記する。
［Ｃ１］  ワイヤレス通信のための方法であって、
第１のユーザ端末を含む複数のユーザ端末の各々に対するアップリンク送信機会と目標送信持続時間とを示す第１のワイヤレスメッセージを、アクセスポイントから受信することと、
前記目標送信持続時間に合うように、前記第１のユーザ端末からの第２のワイヤレスメッセージの計画された送信持続時間を変更することと、
前記目標送信持続時間にわたって、前記第１のユーザ端末から前記第２のワイヤレスメッセージを送信することと、
を備える方法。
［Ｃ２］  前記第２のメッセージの前記送信と同時に前記目標送信持続時間にわたって、前記複数のユーザ端末のうちのいくつかの各々からワイヤレスメッセージを送信することをさらに備える、Ｃ１に記載の方法。
［Ｃ３］  前記第１のワイヤレスメッセージはさらに開始時間を示し、前記第２のワイヤレスメッセージおよび前記複数のユーザ端末のうちのいくつかの各々からの前記ワイヤレスメッセージは前記開始時間に送信される、Ｃ２に記載の方法。
［Ｃ４］  前記送信される第２のワイヤレスメッセージの送信電力レベルおよび前記複数のユーザ端末のうちのいくつかの各々からの前記送信されるワイヤレスメッセージの送信電力レベルは、前記目標送信持続時間の間は一定である、Ｃ２に記載の方法。
［Ｃ５］  前記第２のワイヤレスメッセージの前記計画された送信持続時間を変更することは、前記目標送信持続時間に合うように前記第２のワイヤレスメッセージの前記計画された持続時間を増やすのに十分な量の充填データを、前記第２のワイヤレスメッセージに追加することを備える、Ｃ１に記載の方法。
［Ｃ６］  前記充填データは、ファイルの終わりパディングデリミタ、サブフレームパッドオクテット、または、集約される媒体アクセス制御プロトコルデータユニットのファイルの終わりサブフレームの少なくとも１つを備える、Ｃ５に記載の方法。
［Ｃ７］  前記少なくとも１つのファイルの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、Ｃ６に記載の方法。
［Ｃ８］  前記第２のワイヤレスメッセージの前記計画された送信持続時間を変更することは、前記第２のワイヤレスメッセージを送信するために用いられる送信データレートを調整することを備える、Ｃ１に記載の方法。
［Ｃ９］  前記第２のワイヤレスメッセージの前記計画された送信持続時間を変更することは、前記第２のワイヤレスメッセージに用いられる集約のレベルを調整することを備える、Ｃ１に記載の方法。
［Ｃ１０］  前記集約のレベルは、前記第２のワイヤレスメッセージの集約された媒体アクセス制御プロトコルデータユニットまたは集約された媒体アクセス制御サービスデータユニットにおいて調整される、Ｃ９に記載の方法。
［Ｃ１１］  前記アップリンク送信機会は準備段階の間に決定される、Ｃ１に記載の方法。
［Ｃ１２］  前記第２のワイヤレスメッセージは物理層コンバージェンスプロトコルデータユニットを備える、Ｃ１に記載の方法。
［Ｃ１３］  ワイヤレス通信のためのデバイスであって、
複数のユーザ端末の各々に対するアップリンク送信機会と目標送信持続時間とを示す第１のワイヤレスメッセージを、アクセスポイントから受信するように構成される受信機と、
前記目標送信持続時間に合うように、第２のワイヤレスメッセージの計画された持続時間を変更するように構成されるプロセッサと、
前記目標送信持続時間にわたって、前記第２のワイヤレスメッセージを送信するように構成される送信機と、
を備える、デバイス。
［Ｃ１４］  前記送信機はさらに、前記目標送信持続時間にわたって、前記複数のユーザ端末のうちのいくつかの各々と同時に、前記第２のワイヤレスメッセージを送信するように構成される、Ｃ１３に記載のデバイス。
［Ｃ１５］  前記第１のワイヤレスメッセージはさらに開始時間を示し、前記第２のワイヤレスメッセージおよび前記複数のユーザ端末のうちのいくつかの各々からの前記ワイヤレスメッセージが前記開始時間に送信される、Ｃ１４に記載のデバイス。
［Ｃ１６］  前記送信される第２のワイヤレスメッセージの送信電力レベルおよび前記複数のユーザ端末のうちのいくつかの各々からの前記送信されるワイヤレスメッセージの送信電力レベルは、前記目標送信持続時間の間は一定である、Ｃ１４に記載のデバイス。
［Ｃ１７］  前記プロセッサはさらに、前記目標送信持続時間に合うように前記第２のワイヤレスメッセージの前記計画された持続時間を増やすのに十分な量の充填データを、前記第２のワイヤレスメッセージに追加するように構成される、Ｃ１３に記載のデバイス。
［Ｃ１８］  前記充填データは、ファイルの終わりパディングデリミタ、サブフレームパッドオクテット、または、集約される媒体アクセス制御プロトコルデータユニットのファイルの終わりサブフレームの少なくとも１つを備える、Ｃ１７に記載のデバイス。
［Ｃ１９］  前記少なくとも１つのファイルの終わりパディングデリミタは、前記第２のワイヤレスメッセージの集約された媒体アクセス制御プロトコルデータユニット、または、前記第２のワイヤレスメッセージの集約された媒体アクセス制御サービスデータユニットに追加される、Ｃ１８に記載のデバイス。
［Ｃ２０］  前記プロセッサはさらに、前記第２のワイヤレスメッセージを送信するために用いられる送信データレートを調整するように構成される、Ｃ１３に記載のデバイス。
［Ｃ２１］  前記プロセッサはさらに、前記第２のワイヤレスメッセージに用いられる集約のレベルを調整するように構成される、Ｃ１３に記載のデバイス。
［Ｃ２２］  集約の前記レベルは、前記第２のワイヤレスメッセージの集約された媒体アクセス制御プロトコルデータユニットまたは集約された媒体アクセス制御サービスデータユニットにおいて調整される、Ｃ２１に記載のデバイス。
［Ｃ２３］  前記プロセッサはさらに、準備段階の間に前記アップリンク送信機会を決定するように構成される、Ｃ１３に記載のデバイス。
［Ｃ２４］  前記第２のワイヤレスメッセージは物理層コンバージェンスプロトコルデータユニットを備える、Ｃ１３に記載のデバイス。
［Ｃ２５］  ワイヤレス通信のための方法であって、
第１のユーザ端末を含む複数のユーザ端末の各々に対するアップリンク送信機会と目標送信持続時間とを示す第１のメッセージを、前記第１のユーザ端末に送信することと、  前記第１のユーザ端末から第２のワイヤレスメッセージを受信することと、
を備え、前記第２のワイヤレスメッセージは前記目標送信持続時間の持続時間にわたって受信される、方法。
［Ｃ２６］  前記第２のメッセージの前記受信と同時に、前記目標送信持続時間にわたって、前記複数のユーザ端末のうちのいくつかの各々からワイヤレスメッセージを受信することをさらに備える、Ｃ２５に記載の方法。
［Ｃ２７］  前記受信される第２のワイヤレスメッセージの電力レベルおよび前記複数のユーザ端末のうちのいくつかの各々からの前記受信されるワイヤレスメッセージの電力レベルは、前記目標送信持続時間の間は一定である、Ｃ２６に記載の方法。
［Ｃ２８］  ワイヤレス通信のためのデバイスであって、
第１のユーザ端末を含む複数のユーザ端末の各々に対するアップリンク送信機会と目標送信持続時間とを示す第１のワイヤレスメッセージを、前記第１のユーザ端末に送信するように構成される送信機と、
前記第１のユーザ端末から第２のワイヤレスメッセージを受信するように構成される受信機と、
を備え、前記第２のワイヤレスメッセージは前記目標送信持続時間の持続時間にわたって受信される、デバイス。
［Ｃ２９］  前記受信機はさらに、前記第２のメッセージの前記受信と同時に、前記目標送信持続時間にわたって、前記複数のユーザ端末のうちのいくつかの各々からワイヤレスメッセージを受信するように構成される、Ｃ２８に記載のデバイス。
［Ｃ３０］  前記受信される第２のワイヤレスメッセージの電力レベルおよび前記複数のユーザ端末のうちのいくつかの各々からの前記受信されるワイヤレスメッセージの電力レベルは、前記目標送信持続時間の間は一定である、Ｃ２８に記載のデバイス。
【外国語明細書】
2019176494000001.pdf